(57)【要約】  本発明は、新地上波放送と、現状の地上デジタルテレビジョン放送とが共存した場合でも、現状の地上デジタルテレビジョン放送の伝送方式に基づく信号に応じた映像を再生可能なテレビジョン受像機または新地上波放送の伝送方式に基づく信号に応じた映像を再生可能なテレビジョン受像機が映像を適切に再生できる放送用送信システムを提供する。放送用送信システムは、一方の偏波アンテナ送信用のデータのうちの第１の画質再生用のデータにおいて、ＡＣ信号またはＴＭＣＣ信号が配置されるように、一方の偏波アンテナ送信用のデータを生成し、他方の偏波アンテナ送信用のデータにおいて、ＡＣ信号またはＴＭＣＣ信号が配置された箇所に応じた箇所にはヌルキャリアが配置されるように、他方の偏波アンテナ送信用のデータを生成する。
2020137744.tif 000002
【特許請求の範囲】
【請求項１】
第１の画質再生用のデータと第２の画質再生用のデータとに基づいて、一方の偏波アンテナ送信用のデータと他方の偏波アンテナ送信用のデータとを生成するデータ構成手段と、
前記一方の偏波アンテナ送信用のデータに応じた信号と、前記他方の偏波アンテナ送信用のデータに応じた信号とを送信するための処理を行う送信処理手段と
を備え、
前記データ構成手段は、前記一方の偏波アンテナ送信用のデータのうちの前記第１の画質再生用のデータにおいて、ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号が配置されるように、前記一方の偏波アンテナ送信用のデータを生成し、
前記データ構成手段は、前記他方の偏波アンテナ送信用のデータにおいて、前記ＡＣ信号または前記ＴＭＣＣ信号が配置された箇所に応じた箇所にはヌルキャリアが配置されるように、前記他方の偏波アンテナ送信用のデータを生成する
ことを特徴とする放送用送信システム。
【請求項２】
前記データ構成手段は、前記一方の偏波アンテナ送信用のデータのうちの前記第１の画質再生用のデータにおいて、所定の間隔でパイロット信号またはヌルキャリアが配置されるように、前記一方の偏波アンテナ送信用のデータを生成する
ことを特徴とする請求項１に記載の放送用送信システム。
【請求項３】
前記データ構成手段は、前記一方の偏波アンテナ送信用のデータのうちの前記第１の画質再生用のデータにおいて、パイロット信号が配置されるべき所定の位置と、前記ＡＣ信号または前記ＴＭＣＣ信号が配置されるべき所定の位置とが重複する場合に、前記位置には、前記ＡＣ信号または前記ＴＭＣＣ信号を配置する
ことを特徴とする請求項２に記載の放送用送信システム。
【請求項４】
前記データ構成手段は、前記所定の間隔でヌルキャリアまたはパイロット信号が配置されるように、前記他方の偏波アンテナ送信用のデータを生成し、
前記データ構成手段は、前記一方の偏波アンテナ送信用のデータにおいて、前記他方の偏波アンテナ送信用のデータでパイロット信号が前記所定の間隔で配置された箇所に応じた箇所には、ヌルキャリアを配置し、前記他方の偏波アンテナ送信用のデータでヌルキャリアが前記所定の間隔で配置された箇所に応じた箇所には、パイロット信号を配置するように、前記一方の偏波アンテナ送信用のデータを生成する
ことを特徴とする請求項２または３に記載の放送用送信システム。
【請求項５】
前記データ構成手段は、前記一方の偏波アンテナ送信用のデータのうちの前記第１の画質再生用のデータにおける最も低い周波数のキャリアで送信されるデータにおいて、前記所定の間隔に基づくヌルキャリアに代えてパイロット信号が配置されるように、前記一方の偏波アンテナ送信用のデータを生成する
ことを特徴とする請求項２〜４のいずれか１項に記載の放送用送信システム。
【請求項６】
前記データ構成手段は、前記最も低い周波数のキャリアで送信されるデータにおいて、すべてのシンボルにわたって前記パイロット信号が配置されるように、前記一方の偏波アンテナ送信用のデータを生成する
ことを特徴とする請求項５に記載の放送用送信システム。
【請求項７】
前記データ構成手段は、前記一方の偏波アンテナ送信用のデータのうちの前記第２の画質再生用のデータにおいて、他の所定の間隔でパイロット信号が配置されるように、前記一方の偏波アンテナ送信用のデータを生成する
ことを特徴とする請求項１〜６のいずれか１項に記載の放送用送信システム。
【請求項８】
ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号が配置されている第１の画質再生用のデータと、第２の画質再生用のデータとに応じた信号を受信する受信手段と、
前記ＡＣ信号または前記ＴＭＣＣ信号を用いて、受信品質を判定する判定手段と、
前記受信品質に基づいて、前記第２の画質再生用のデータに応じた映像を再生可能なテレビジョン受像機に、前記第２の画質再生用のデータに応じた映像を再生させるか否かを判断する判断手段と、
前記判断手段が前記第２の画質再生用のデータに応じた映像を再生させると判断した場合に、前記テレビジョン受像機に、前記第２の画質再生用のデータに応じた映像を再生させる再生処理手段とを備えた
ことを特徴とする放送用受信システム。
【請求項９】
ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号と、パイロット信号とがそれぞれ複数配置されている第１の画質再生用のデータに応じた信号を受信する受信手段と、
所定の位置に配置されている前記パイロット信号に基づいて、前記第１の画質再生用のデータに応じた信号に等化処理を施す等化手段と、
等化処理された前記第１の画質再生用のデータに応じた信号に基づいて、前記第１の画質再生用のデータに応じた映像を再生可能なテレビジョン受像機に、前記第１の画質再生用のデータに応じた映像を再生させる再生処理手段とを備え、
前記等化手段は、前記所定の位置にパイロット信号が配置されていない場合に、他の位置に配置されているパイロット信号に基づいて、等化処理を施す
ことを特徴とする放送用受信システム。
【請求項１０】
請求項１〜７のいずれか１項に記載の放送用送信システムと、
請求項８または９に記載の放送用受信システムとを備えた
ことを特徴とする放送用送受信システム。
【請求項１１】
第１の画質再生用のデータと第２の画質再生用のデータとに基づいて、一方の偏波アンテナ送信用のデータと他方の偏波アンテナ送信用のデータとを生成し、
前記一方の偏波アンテナ送信用のデータに応じた信号と、前記他方の偏波アンテナ送信用のデータに応じた信号とを送信するための処理を行い、
前記一方の偏波アンテナ送信用のデータを生成するときに、前記一方の偏波アンテナ送信用のデータのうちの前記第１の画質再生用のデータにおいて、ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号が配置されるように、前記一方の偏波アンテナ送信用のデータを生成し、
前記他方の偏波アンテナ送信用のデータを生成するときに、前記他方の偏波アンテナ送信用のデータにおいて、前記ＡＣ信号または前記ＴＭＣＣ信号が配置された箇所に応じた箇所にはヌルキャリアが配置されるように、前記他方の偏波アンテナ送信用のデータを生成する
ことを特徴とする放送用送信方法。
【請求項１２】
コンピュータに、
第１の画質再生用のデータと第２の画質再生用のデータとに基づいて、一方の偏波アンテナ送信用のデータと他方の偏波アンテナ送信用のデータとを生成するデータ構成処理と、
前記一方の偏波アンテナ送信用のデータに応じた信号と、前記他方の偏波アンテナ送信用のデータに応じた信号とを送信するための処理を行う送信処理と
を実行させ、
前記データ構成処理では、前記一方の偏波アンテナ送信用のデータのうちの前記第１の画質再生用のデータにおいて、ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号が配置されるように、前記一方の偏波アンテナ送信用のデータを生成させ、
前記データ構成処理では、前記他方の偏波アンテナ送信用のデータにおいて、前記ＡＣ信号または前記ＴＭＣＣ信号が配置された箇所に応じた箇所にはヌルキャリアが配置されるように、前記他方の偏波アンテナ送信用のデータを生成させる
ことを特徴とする放送用送信プログラムを記憶したプログラム記憶媒体。
【発明の詳細な説明】
【技術分野】
【０００１】
本発明は、放送用送信システム、放送用受信システム、放送用送受信システム、放送用送信方法および放送用送信プログラムに関する。
【背景技術】
【０００２】
地上デジタルテレビジョン放送では、画面解像度が横２０００程度×縦１０００程度となるような画像をテレビジョン受像機が再生可能になっている。【０００３】
非特許文献１には、地上デジタルテレビジョン放送の伝送方式について記載されている。以下、非特許文献１に記載されている方式に基づく地上デジタルテレビジョン放送を、現状の地上デジタルテレビジョン放送ともいう。【０００４】
特許文献１には、偏波ＭＩＭＯ（Ｍｕｌｔｉｐｌｅ−Ｉｎｐｕｔ  ａｎｄ  Ｍｕｌｔｉｐｌｅ−Ｏｕｔｐｕｔ）伝送を採用し、一方の偏波の信号によって移動可能な受信装置向けのデータを送信し、両方の偏波の信号によって固定的に設置された受信装置向けのデータを送信するテレビジョン放送システムが記載されている。【０００５】
また、特許文献２には、現状の地上デジタルテレビジョン放送によって再生可能な画質に比べて、より高画質な画像を受像機が再生可能な新たな地上波放送（新地上波放送ともいう）を提供することや当該新地上波放送を現状の地上デジタルテレビジョン放送と共存させることが記載されている。
【先行技術文献】
【特許文献】
【０００６】
【特許文献１】特開２０１６−０７６７８９号公報
【特許文献２】国際公開第２０１８／１５５５４４号
【非特許文献】
【０００７】
【非特許文献１】“地上デジタルテレビジョン放送の伝送方式  ＡＲＩＢ  ＳＴＤ−Ｂ３１  ２．２版”、［ｏｎｌｉｎｅ］、２０１４年３月、一般社団法人電波産業会、［２０１８年１１月２０日検索］、インターネット＜URL: https://www.arib.or.jp/kikaku/kikaku_hoso/std-b31.html2＞
【発明の概要】
【発明が解決しようとする課題】
【０００８】
新地上波放送と、現状の地上デジタルテレビジョン放送とが共存した場合でも、現状の地上デジタルテレビジョン放送の伝送方式に基づいて入力された受信信号に応じた映像を再生可能なテレビジョン受像機が現状の地上デジタルテレビジョン放送における当該映像を適切に再生できることが望ましい。また、新地上波放送と、現状の地上デジタルテレビジョン放送とが共存した場合でも、新地上波放送の伝送方式に基づいて入力された受信信号に応じた映像を再生可能なテレビジョン受像機が新地上波放送における当該映像を適切に再生できることが望ましい。例えば、現状の地上デジタルテレビジョン放送に対応したテレビジョン受像機が適切に受信品質の判定処理を行えることが望ましい。また、例えば、新地上波放送に対応したテレビジョン受像機が受信信号を適切に等化処理できることが望ましい。【０００９】
そこで、本発明は、新地上波放送と、現状の地上デジタルテレビジョン放送とが共存した場合でも、現状の地上デジタルテレビジョン放送の伝送方式に基づいて入力された受信信号に応じた映像を再生可能なテレビジョン受像機または新地上波放送の伝送方式に基づいて入力された受信信号に応じた映像を再生可能なテレビジョン受像機が映像を適切に再生できる放送用送信システム、放送用受信システム、放送用送受信システム、放送用送信方法および放送用送信プログラムを提供することを目的とする。
【課題を解決するための手段】
【００１０】
本発明による放送用送信システムは、第１の画質再生用のデータと第２の画質再生用のデータとに基づいて、一方の偏波アンテナ送信用のデータと他方の偏波アンテナ送信用のデータとを生成するデータ構成手段と、前記一方の偏波アンテナ送信用のデータに応じた信号と、前記他方の偏波アンテナ送信用のデータに応じた信号とを送信するための処理を行う送信処理手段とを備え、前記データ構成手段は、前記一方の偏波アンテナ送信用のデータのうちの前記第１の画質再生用のデータにおいて、ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号が配置されるように、前記一方の偏波アンテナ送信用のデータを生成し、前記データ構成手段は、前記他方の偏波アンテナ送信用のデータにおいて、前記ＡＣ信号または前記ＴＭＣＣ信号が配置された箇所に応じた箇所にはヌルキャリアが配置されるように、前記他方の偏波アンテナ送信用のデータを生成することを特徴とする。【００１１】
本発明による放送用受信システムは、ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号が配置されている第１の画質再生用のデータと、第２の画質再生用のデータとに応じた信号を受信する受信手段と、前記ＡＣ信号または前記ＴＭＣＣ信号を用いて、受信品質を判定する判定手段と、前記受信品質に基づいて、前記第２の画質再生用のデータに応じた映像を再生可能なテレビジョン受像機に、前記第２の画質再生用のデータに応じた映像を再生させるか否かを判断する判断手段と、前記判断手段が前記第２の画質再生用のデータに応じた映像を再生させると判断した場合に、前記テレビジョン受像機に、前記第２の画質再生用のデータに応じた映像を再生させる再生処理手段とを備えたことを特徴とする。【００１２】
本発明による他の放送用受信システムは、ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号と、パイロット信号とがそれぞれ複数配置されている第１の画質再生用のデータに応じた信号を受信する受信手段と、所定の位置に配置されている前記パイロット信号に基づいて、前記第１の画質再生用のデータに応じた信号に等化処理を施す等化手段と、等化処理された前記第１の画質再生用のデータに応じた信号に基づいて、前記第１の画質再生用のデータに応じた映像を再生可能なテレビジョン受像機に、前記第１の画質再生用のデータに応じた映像を再生させる再生処理手段とを備え、前記等化手段は、前記所定の位置にパイロット信号が配置されていない場合に、他の位置に配置されているパイロット信号に基づいて、等化処理を施すことを特徴とする。【００１３】
本発明による放送用送受信システムは、いずれかの態様の放送用送信システムと、いずれかの態様の放送用受信システムまたはいずれかの態様の他の放送用受信システムとを備えたことを特徴とする。【００１４】
本発明による放送用送信方法は、第１の画質再生用のデータと第２の画質再生用のデータとに基づいて、一方の偏波アンテナ送信用のデータと他方の偏波アンテナ送信用のデータとを生成し、前記一方の偏波アンテナ送信用のデータに応じた信号と、前記他方の偏波アンテナ送信用のデータに応じた信号とを送信するための処理を行い、前記一方の偏波アンテナ送信用のデータを生成するときに、前記一方の偏波アンテナ送信用のデータのうちの前記第１の画質再生用のデータにおいて、ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号が配置されるように、前記一方の偏波アンテナ送信用のデータを生成し、前記他方の偏波アンテナ送信用のデータを生成するときに、前記他方の偏波アンテナ送信用のデータにおいて、前記ＡＣ信号または前記ＴＭＣＣ信号が配置された箇所に応じた箇所にはヌルキャリアが配置されるように、前記他方の偏波アンテナ送信用のデータを生成することを特徴とする。【００１５】
本発明による放送用送信プログラムは、コンピュータに、第１の画質再生用のデータと第２の画質再生用のデータとに基づいて、一方の偏波アンテナ送信用のデータと他方の偏波アンテナ送信用のデータとを生成するデータ構成処理と、前記一方の偏波アンテナ送信用のデータに応じた信号と、前記他方の偏波アンテナ送信用のデータに応じた信号とを送信するための処理を行う送信処理とを実行させ、前記データ構成処理では、前記一方の偏波アンテナ送信用のデータのうちの前記第１の画質再生用のデータにおいて、ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号が配置されるように、前記一方の偏波アンテナ送信用のデータを生成させ、前記データ構成処理では、前記他方の偏波アンテナ送信用のデータにおいて、前記ＡＣ信号または前記ＴＭＣＣ信号が配置された箇所に応じた箇所にはヌルキャリアが配置されるように、前記他方の偏波アンテナ送信用のデータを生成させることを特徴とする。
【発明の効果】
【００１６】
本発明によれば、新地上波放送と、現状の地上デジタルテレビジョン放送とが共存した場合でも、現状の地上デジタルテレビジョン放送の伝送方式に基づいて入力された受信信号に応じた映像を再生可能なテレビジョン受像機または新地上波放送の伝送方式に基づいて入力された受信信号に応じた映像を再生可能なテレビジョン受像機が映像を適切に再生できる。
【図面の簡単な説明】
【００１７】
【図１】第１の実施形態の放送システムの構成例を示すブロック図である。
【図２】第１の実施形態における変調部の構成例を示すブロック図である。
【図３】第１の実施形態における変調部の構成例を示すブロック図である。
【図４】第１の実施形態における変調部の構成例を示すブロック図である。
【図５】伝送方式の例を示す説明図である。
【図６】第１の実施形態における復調部の構成例を示すブロック図である。
【図７】第１の実施形態における復調部の構成例を示すブロック図である。
【図８】第１の実施形態における復調部の構成例を示すブロック図である。
【図９】第１の実施形態における復調部の構成例を示すブロック図である。
【図１０】第１の実施形態における送信部の動作を示すフローチャートである。
【図１１】Ｂ階層によって利用されるセグメントの数と、４Ｋ用信号の変調方式とに応じたパラメータの例を示す説明図である。
【図１２】第１の実施形態におけるＯＦＤＭセグメント構成の例を示す説明図である。
【図１３】第１の実施形態におけるＯＦＤＭセグメント構成の例を示す説明図である。
【図１４】第２の実施形態の放送システムの構成例を示すブロック図である。
【図１５】第２の実施形態における変調部の構成例を示すブロック図である。
【図１６】第２の実施形態における変調部の構成例を示すブロック図である。
【図１７】第２の実施形態における変調部の構成例を示すブロック図である。
【図１８】第２の実施形態における復調部の構成例を示すブロック図である。
【図１９】第２の実施形態における復調部の構成例を示すブロック図である。
【図２０】第２の実施形態における復調部の構成例を示すブロック図である。
【図２１】第２の実施形態における復調部の構成例を示すブロック図である。
【図２２】第２の実施形態におけるＯＦＤＭセグメント構成の例を示す説明図である。
【図２３】第２の実施形態におけるＯＦＤＭセグメント構成の例を示す説明図である。
【図２４】第２の実施形態におけるＯＦＤＭセグメント構成の例を示す説明図である。
【図２５】第２の実施形態におけるＯＦＤＭセグメント構成の例を示す説明図である。
【図２６】第２の実施形態における送信部の動作を示すフローチャートである。
【図２７】第２の実施形態におけるキャリア復調部の動作を示すフローチャートである。
【図２８】第２の実施形態におけるＯＦＤＭセグメント構成の他の例を示す説明図である。
【図２９】第２の実施形態におけるＯＦＤＭセグメント構成の他の例を示す説明図である。
【図３０】第３の実施形態の放送用送信システムの構成例を示すブロック図である。
【図３１】第４の実施形態の放送用受信システムの構成例を示すブロック図である。
【図３２】第５の実施形態の放送用受信システムの構成例を示すブロック図である。
【発明を実施するための形態】
【００１８】
実施形態１．
本発明の第１の実施形態の放送システムについて、図面を参照して説明する。図１は、本発明の第１の実施形態の放送システム１００の構成例を示すブロック図である。
【００１９】
図１に示すように、本発明の第１の実施形態の放送システム１００は、送信部２００と受信部３００とを含む。
【００２０】
送信部２００には、アンテナ５０１，５０２が接続されている。また、受信部３００には、分配器７００を介してアンテナ６０１が接続されている。また、分配器７００には、受信部４００が接続されている。そして、受信部４００には、アンテナ６０２と、分配器７００を介してアンテナ６０１とが接続されている。
【００２１】
送信部２００によってアンテナ５０１，５０２に入力された信号は当該アンテナ５０１，５０２によって電磁波に変換されて放射される。そして、アンテナ６０１，６０２によって、当該電磁波は受信されて受信信号に変換され、変換後の受信信号が受信部３００，４００に入力される。
【００２２】
なお、分配器７００は、アンテナ６０１によって受信されて信号に変換された受信信号を受信部３００と受信部４００とに入力する。また、本例では、アンテナ５０１，６０１は水平偏波用のアンテナであり、アンテナ５０２，６０２は垂直偏波用のアンテナであるとする。
【００２３】
また、送信部２００、受信部３００および受信部４００は、例えば、プログラム制御に従って処理を実行する、ＣＰＵ（Ｃｅｎｔｒａｌ  Ｐｒｏｃｅｓｓｉｎｇ  Ｕｎｉｔ）等の単数または複数の回路が搭載されたコンピュータによって実現されてもよい。具体的には、例えば、送信部２００、受信部３００および受信部４００に、以下に述べる各動作を実現させるためのソフトウェアが搭載される。そして、送信部２００、受信部３００および受信部４００は、当該ソフトウェアのプログラム制御に従って処理を実行することにより、以下に述べる各動作を実現するように構成されていてもよい。
【００２４】
また、受信部３００は、例えば、現状の地上デジタルテレビジョン放送の伝送方式に基づいて、入力された受信信号に応じた映像を再生可能なテレビジョン受像機や受信信号に応じた処理を行う受信機である。受信部３００は、例えば、受信部３００の受信処理部、受信部３００の復調部および受信部３００の復号部を含むように構成されている。
【００２５】
次に、送信部２００の構成について、図面を参照して説明する。図１に示すように、本発明の第１の実施形態における送信部２００は、符号化部２１０、多重化部２２０、変調部２３０、第１の増幅部２４０、および第２の増幅部２５０を含む。
【００２６】
符号化部２１０は、第１のエンコーダ２１１、第２のエンコーダ２１２、および第３のエンコーダ２１３を含む。
【００２７】
第１のエンコーダ２１１、および第２のエンコーダ２１２には、「２Ｋ」の信号が入力される。なお、２Ｋとは、画面解像度が横２０００程度×縦１０００程度となるような映像の総称である。したがって、図１に示す例では、２Ｋに対応した信号（以下、２Ｋ用信号ともいう）が第１のエンコーダ２１１、および第２のエンコーダ２１２に入力される。なお、２Ｋの画面解像度とは、例えば、横２０４８×縦１０８０や、横１９２０×縦１０８０、横２０４８×縦１１５２、横２５６０×縦１６００、横１４４０×縦１０８０等である。２Ｋ用信号は、２Ｋ用信号に応じたデータとも称される。なお、２Ｋ用信号に応じたデータは、例えば、音声データ、画像データおよび字幕データ等の出力用データを含む。
【００２８】
そして、第１のエンコーダ２１１は、入力された２Ｋ用信号に、Ｈ．２６４に基づく符号化処理を施す。そして、第１のエンコーダ２１１は、符号化処理後の２Ｋ用信号を多重化部２２０に入力する。なお、第１のエンコーダ２１１は、携帯電話・移動体端末向けの１セグメント部分受信サービス（移動体受信サービスともいう。以下、ワンセグともいう）の提供用に用意されている。そこで、第１のエンコーダ２１１によるＨ．２６４に基づく符号化処理後の２Ｋ用信号をワンセグ用信号ともいう。ワンセグ用信号は、ワンセグ用信号に応じたデータとも称される。なお、ワンセグ用信号に応じたデータは、例えば、音声データ、画像データおよび字幕データ等の出力用データを含む。また、ワンセグ用信号に応じたデータは、移動体用のデータとも称される。
【００２９】
また、第２のエンコーダ２１２は、入力された２Ｋ用信号に、ＭＰＥＧ（Ｍｏｖｉｎｇ  Ｐｉｃｔｕｒｅ  Ｅｘｐｅｒｔｓ  Ｇｒｏｕｐ）−２に基づく符号化処理を施す。そして、第２のエンコーダ２１２は、ＭＰＥＧ−２に基づく符号化処理後の２Ｋ用信号を多重化部２２０に入力する。
【００３０】
多重化部２２０は、第１のエンコーダ２１１が入力したワンセグ用信号と、第２のエンコーダ２１２が入力した２Ｋ用信号とを互いに多重する。そして、多重化部２２０は、多重化後の信号である多重化信号を変調部２３０に入力する。
【００３１】
また、第３のエンコーダ２１３には、「４Ｋ」の信号が入力される。なお、４Ｋとは、画面解像度が横４０００程度×縦２０００程度となるような映像の総称である。したがって、図１に示す例では、４Ｋに対応した信号（以下、４Ｋ用信号ともいう）が第３のエンコーダ２１３に入力される。なお、４Ｋの画面解像度とは、例えば、横４０９６×縦２１６０や、横３８４０×縦２１６０、横４０９６×縦２３０４、横４０９６×縦２０４８等である。４Ｋ用信号は、４Ｋ用信号に応じたデータとも称される。なお、４Ｋ用信号に応じたデータは、例えば、音声データ、画像データおよび字幕データ等の出力用データを含む。
【００３２】
そして、第３のエンコーダ２１３は、入力された４Ｋ用信号に、Ｈ．２６５に基づく符号化処理を施す。そして、第３のエンコーダ２１３は、Ｈ．２６５に基づく符号化処理後の４Ｋ用信号を変調部２３０に入力する。
【００３３】
なお、ワンセグ用信号、２Ｋ用信号、および４Ｋ用信号はいずれもそれぞれＴＳ（Ｔｒａｎｓｐｏｒｔ  Ｓｔｒｅａｍ）である。
【００３４】
変調部２３０は、入力されたワンセグ用信号、２Ｋ用信号、および４Ｋ用信号に伝送路符号化処理を施して、第１のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号および第２のＯＦＤＭ信号を生成する。伝送路符号化処理については後述する。
【００３５】
変調部２３０は、第１の増幅部２４０に、生成した第１のＯＦＤＭ信号を入力する。また、変調部２３０は、第２の増幅部２５０に、生成した第２のＯＦＤＭ信号を入力する。
【００３６】
なお、第１の増幅部２４０には、水平偏波用のアンテナ５０１が接続されている。第１の増幅部２４０は、変調部２３０が入力した第１のＯＦＤＭ信号を所定の増幅率で増幅する。そして、第１の増幅部２４０は、増幅後の第１のＯＦＤＭ信号をアンテナ５０１に入力する。
【００３７】
第１の増幅部２４０によって増幅された第１のＯＦＤＭ信号は、アンテナ５０１によって電磁波に変換されて水平偏波で放射される。
【００３８】
また、第２の増幅部２５０には、垂直偏波用のアンテナ５０２が接続されている。第２の増幅部２５０は、変調部２３０が入力した第２のＯＦＤＭ信号を予め決められた増幅率で増幅する。そして、第２の増幅部２５０は、増幅後の第２のＯＦＤＭ信号をアンテナ５０２に入力する。
【００３９】
第２の増幅部２５０によって増幅された第２のＯＦＤＭ信号は、アンテナ５０２によって電磁波に変換されて垂直偏波で放射される。
【００４０】
受信部３００の受信処理部には、アンテナ５０１，５０２を介して放射されてアンテナ６０１によって受信された電磁波が受信信号に変換されて入力される。当該受信処理部は、受信信号を増幅する処理や、より後段の信号処理手段である受信部３００の復調部における処理が可能な周波数であるベースバンドに受信信号の周波数を変換する処理等の所定の処理を受信信号に施す。受信部３００の復調部は、入力された受信信号に、送信部２００の変調部２３０がワンセグ用信号および、２Ｋ用信号に施した伝送路符号化処理に応じた復調処理や等化処理等を施して、ＴＳ信号を生成する。そして、当該復調部は、生成したＴＳ信号を受信部３００の復号部に入力する。当該復号部は、入力されたＴＳ信号に、所定の復号処理を施して、映像信号を生成可能な機能を有する。また、当該復号部は、生成した映像信号を出力可能である。出力された映像信号は、テレビジョン受像機等の映像表示装置に入力されて、ワンセグ用信号または、２Ｋ用信号に基づく映像が再生される。
【００４１】
次に、受信部４００の構成について、図面を参照して説明する。図１に示すように、本発明の第１の実施形態における受信部４００は、第１の受信処理部４１０、第２の受信処理部４２０、復調部４３０、および復号部４４０を含む。
【００４２】
第１の受信処理部４１０には、分配器７００を介して水平偏波用のアンテナ６０１が接続されている。そして、第１の受信処理部４１０には、アンテナ５０１，５０２を介して放射されてアンテナ６０１によって受信された電磁波が受信信号に変換されて入力される。
【００４３】
また、第２の受信処理部４２０には、垂直偏波用のアンテナ６０２が接続されている。そして、第２の受信処理部４２０には、アンテナ５０１，５０２を介して放射されてアンテナ６０２によって受信された電磁波が受信信号に変換されて入力される。
【００４４】
第１の受信処理部４１０および第２の受信処理部４２０は、それぞれ、受信信号を増幅する処理や、より後段の信号処理手段である復調部４３０における処理が可能な周波数であるベースバンドに受信信号の周波数を変換する処理等の所定の処理を受信信号に施す。
【００４５】
そして、第１の受信処理部４１０は、所定の処理を施した受信信号を復調部４３０に入力する。また、第２の受信処理部４２０は、所定の処理を施した受信信号を復調部４３０に入力する。
【００４６】
復調部４３０は、入力された受信信号に、送信部２００の変調部２３０がワンセグ用信号、２Ｋ用信号、および４Ｋ用信号に施した伝送路符号化処理に応じた復調処理を施して、ＴＳ信号を生成する。そして、復調部４３０は、生成したＴＳ信号を復号部４４０に入力する。なお、復調部４３０における復調処理については後述する復調部４３０における各部によって行われる。
【００４７】
復号部４４０は、入力されたＴＳ信号に、所定の復号処理を施して、映像信号を生成可能な機能を有する。
【００４８】
例えば、復号部４４０は、入力されたＴＳ信号にＨ．２６５に基づく復号処理を施して、４Ｋ用信号に基づく映像信号を生成可能であるとする。すると、復号部４４０は、生成した映像信号を出力可能である。そして、出力された映像信号は、テレビジョン受像機等の映像表示装置に入力されて、４Ｋ用信号に基づく映像が再生される。
【００４９】
また、例えば、復号部４４０は、入力されたＴＳ信号にＭＰＥＧ−２に基づく復号処理を施して、２Ｋ用信号に基づく映像信号を生成可能であるとする。すると、復号部４４０は、生成した映像信号を出力可能である。そして、出力された映像信号は、テレビジョン受像機等の映像表示装置に入力されて、２Ｋ用信号に基づく映像が再生される。
【００５０】
また、例えば、復号部４４０は、入力されたＴＳ信号にＨ．２６４に基づく復号処理を施して、ワンセグ用信号に基づく映像信号を生成可能であるとする。すると、復号部４４０は、生成した映像信号を出力可能である。そして、出力された映像信号は、映像表示装置等に入力されて、ワンセグ用信号に基づく映像が再生される。
【００５１】
次に、変調部２３０が行う伝送路符号化処理について説明する。図２〜４は、本発明の第１の実施形態における変調部２３０の構成例を示すブロック図である。図２〜４に示すように、本発明の第１の実施形態における変調部２３０は、外符号処理部２６１−ａ、フレーム構成部２６１−ｂ、階層分割部２６２−ａ、外符号処理部２６２−ｂ、第１バイト−ビット変換部２６３−ａ〜ｃ、エネルギー拡散部２６４−ａ〜ｃ、遅延補正部２６５−ａ〜ｃ、ビット−バイト変換部２６６−ａ〜ｃ、バイトインターリーブ処理部２６７−ａ〜ｃ、第２バイト−ビット変換部２６８−ａ〜ｃ、畳込み符号化処理部２６９−ａ〜ｃ、ビットインターリーブ処理部２７０−ａ〜ｃ、マッピング処理部２７１−ａ〜ｃ、階層合成部２７２、時間インターリーブ処理部２７３、周波数インターリーブ処理部２７４、ＯＦＤＭフレーム構成部２７５、正規化部２７６−ａ，ｂ、ＩＦＦＴ（Ｉｎｖｅｒｓｅ  Ｆａｓｔ  Ｆｏｕｒｉｅｒ  Ｔｒａｎｓｆｏｒｍ）処理部２７７−ａ，ｂ、ガードインターバル付加処理部２７８−ａ，ｂ、および直交変調処理部２７９−ａ，ｂを含む。
【００５２】
外符号処理部２６１−ａには、互いに多重されたワンセグ用信号および２Ｋ用信号が入力される。そして、外符号処理部２６１−ａは、入力されたワンセグ用信号および２Ｋ用信号に、それぞれ所定の検査用の符号を付す処理を施す。本例では、外符号処理部２６１−ａは、入力されたワンセグ用信号および２Ｋ用信号に、それぞれリードソロモン符号（ＲＳ（２０４，１８８））を付す処理を施す。そして、外符号処理部２６１−ａは、入力されたワンセグ用信号および２Ｋ用信号に、それぞれ検査用の符号が付されたワンセグ用信号および２Ｋ用信号を階層分割部２６２−ａに入力する。
【００５３】
フレーム構成部２６１−ｂには、４Ｋ用信号が入力される。そして、フレーム構成部２６１−ｂは、例えば、入力された４Ｋ用信号を所定の固定長のＴＳパケットとして処理するためのダミーデータ（スタッフィングバイト）の付加等のフレーム構成の処理を行う。そして、フレーム構成部２６１−ｂは、外符号処理部２６２−ｂに、フレーム構成の処理が施された４Ｋ用信号を入力する。
【００５４】
外符号処理部２６２−ｂには、入力された４Ｋ用信号に、所定の検査用の符号を付す処理を施す。本例では、外符号処理部２６２−ｂは、入力された４Ｋ用信号に、リードソロモン符号（ＲＳ（２０４，１８８））を付す処理を施す。そして、外符号処理部２６２−ｂは、入力された４Ｋ用信号に、検査用の符号が付された４Ｋ用信号を第１バイト−ビット変換部２６３−ｂに入力する。
【００５５】
階層分割部２６２−ａは、互いに多重されたワンセグ用信号および２Ｋ用信号を分割し、第１バイト−ビット変換部２６３−ａに、ワンセグ用信号を入力する。また、階層分割部２６２−ａは、第１バイト−ビット変換部２６３−ｃに、２Ｋ用信号を入力する。
【００５６】
ここで、伝送方式について、図面を参照して説明する。図５は、本実施形態における伝送方式の例を示す説明図である。本例では、送信部２００と受信部３００，４００との間のデータの伝送に応じた周波数帯は、１３個のセグメントに分割されて用いられる。
【００５７】
そして、水平偏波における当該周波数帯において、周波数が低い方から１〜３番目のセグメントおよび１０〜１３番目のセグメントによって成る７個のセグメントが２Ｋ用信号に応じたデータの伝送に用いられ、Ｃ階層と呼ばれる。図５において、Ｃ階層は右下がり斜線で示されている。なお、周波数が低い方から１番目のセグメントは、セグメントＮｏ．１１とも称され、周波数が低い方から２番目のセグメントは、セグメントＮｏ．９とも称され、周波数が低い方から３番目のセグメントは、セグメントＮｏ．７とも称される。また、周波数が低い方から１０番目のセグメントは、セグメントＮｏ．６とも称され、周波数が低い方から１１番目のセグメントは、セグメントＮｏ．８とも称され、周波数が低い方から１２番目のセグメントは、セグメントＮｏ．１０とも称され、周波数が低い方から１３番目のセグメントは、セグメントＮｏ．１２とも称される。
【００５８】
また、水平偏波における当該周波数帯において、周波数が低い方から４〜６番目のセグメントおよび８，９番目のセグメントによって成る５個のセグメントが４Ｋ用信号に応じたデータの伝送に用いられ、Ｂ階層と呼ばれる。図５において、Ｂ階層は左下がり斜線で示されている。なお、周波数が低い方から４番目のセグメントは、セグメントＮｏ．５とも称され、周波数が低い方から５番目のセグメントは、セグメントＮｏ．３とも称され、周波数が低い方から６番目のセグメントは、セグメントＮｏ．１とも称される。また、周波数が低い方から８番目のセグメントは、セグメントＮｏ．２とも称され、周波数が低い方から９番目のセグメントは、セグメントＮｏ．４とも称される。
【００５９】
水平偏波における当該周波数帯において、周波数が低い方から７番目のセグメントがワンセグ用信号に応じたデータの伝送に用いられ、Ａ階層と呼ばれる。図５において、Ａ階層は網掛けで示されている。なお、周波数が低い方から７番目のセグメントは、セグメントＮｏ．０とも称される。
【００６０】
さらに、垂直偏波における当該周波数帯において、周波数が低い方から４〜６番目のセグメントおよび８，９番目のセグメントによって成る５個のセグメントも４Ｋ用信号に応じたデータの伝送に用いられ、やはり、Ｂ階層と呼ばれる。
【００６１】
したがって、４Ｋ用信号に応じたデータの送信には、水平偏波の５個のセグメントと垂直偏波の５個のセグメントとを合わせた１０個のセグメントが用いられる。
【００６２】
本例では、Ａ階層を用いて伝送されるワンセグ用信号に応じたデータが、第１バイト−ビット変換部２６３−ａに入力される。また、Ｂ階層を用いて伝送される４Ｋ用信号に応じたデータが、第１バイト−ビット変換部２６３−ｂに入力される。そして、Ｃ階層を用いて伝送される２Ｋ用信号に応じたデータが、第１バイト−ビット変換部２６３−ｃに入力される。
【００６３】
ここで、第１バイト−ビット変換部２６３−ａ〜ｃには、バイト単位でデータが入力されるとする。そこで、第１バイト−ビット変換部２６３−ａ〜ｃは、入力されたバイト単位のデータをＭＳＢ（Ｍｏｓｔ  Ｓｉｇｎｉｆｉｃａｎｔ  Ｂｉｔ）ファーストの順のビットストリームにそれぞれ変換する。
【００６４】
そして、第１バイト−ビット変換部２６３−ａ〜ｃは、変換後のビットストリームをエネルギー拡散部２６４−ａ〜ｃにそれぞれ入力する。
【００６５】
エネルギー拡散部２６４−ａ〜ｃは、第１バイト−ビット変換部２６３−ａ〜ｃが入力したビットストリームに所定のエネルギー拡散処理を施す。具体的には、エネルギー拡散部２６４−ａ〜ｃは、例えば、所定のＰＲＢＳ（Ｐｓｅｕｄｏ−Ｒａｎｄｏｍ  Ｂｉｎａｒｙ  Ｓｅｑｕｅｎｃｅ：擬似ランダム符号系列）と、第１バイト−ビット変換部２６３−ａ〜ｃが入力したビットストリームにおいて同期バイトを除いたビット列とで、それぞれビット単位の排他的論理和を算出する。そして、エネルギー拡散部２６４−ａ〜ｃは、第１バイト−ビット変換部２６３−ａ〜ｃが入力したそれぞれのビットストリームにエネルギー拡散処理を施した結果として、遅延補正部２６５−ａ〜ｃにそれぞれの算出結果のデータを入力する。
【００６６】
遅延補正部２６５−ａ〜ｃは、ワンセグ用信号、２Ｋ用信号、および４Ｋ用信号の送信部２００における処理終了タイミングが同じになるように、入力されたビットストリームに、必要に応じて遅延補正の処理を施す。そして、遅延補正部２６５−ａ〜ｃは、ビット−バイト変換部２６６−ａ〜ｃに処理結果後のビットストリームをそれぞれ入力する。
【００６７】
ビット−バイト変換部２６６−ａ〜ｃは、入力されたビット単位のデータをＭＳＢファーストの順のバイト単位のデータに変換する。
【００６８】
バイトインターリーブ処理部２６７−ａ〜ｃは、ビット−バイト変換部２６６−ａ〜ｃによって変換されたバイト単位のそれぞれのデータに互いの遅延量を異ならせる畳込みバイトインターリーブの処理を施す。なお、インターリーブの深さは、例えば、１２バイトである。
【００６９】
第２バイト−ビット変換部２６８−ａ〜ｃは、バイトインターリーブ処理部２６７−ａ〜ｃによって畳込みバイトインターリーブの処理が施されて入力されたバイト単位のデータをＭＳＢファーストの順のビットストリームに変換する。
【００７０】
畳込み符号化処理部２６９−ａ〜ｃは、第２バイト−ビット変換部２６８−ａ〜ｃによってそれぞれ畳込みバイトインターリーブの処理が施されたビットストリームに、所定の畳込み符号化処理をそれぞれ施す。具体的には、畳込み符号化処理部２６９−ａ〜ｃは、当該ビットストリームに、例えば、拘束長ｋ＝７、符号化率１／２の原符号をマザーコードとし、階層ごとにそれぞれ設定された符号化率で、つまり、畳込み符号化処理部２６９−ａ〜ｃがそれぞれ設定された符号化率で、パンクチャード畳込み符号の符号化処理を施す。
【００７１】
ビットインターリーブ処理部２７０−ａ〜ｃは、符号化処理が施されたビットストリームに、後段のマッピング処理部２７１−ａ〜ｃでなされるマッピングに応じたビットインターリーブの処理を施す。具体的には、例えば、畳込み符号化処理部２６９−ａで符号化処理が施されたワンセグ用信号に基づくビットストリームに、マッピング処理部２７１−ａでＱＰＳＫ（Ｑｕａｄｒａｔｕｒｅ  Ｐｈａｓｅ  Ｓｈｉｆｔ  Ｋｅｙｉｎｇ）のマッピング処理が施されるとする。そこで、ビットインターリーブ処理部２７０−ａは、ワンセグ用信号に基づくビットストリームに、例えば、１２０ビットの遅延素子を挿入するビットインターリーブの処理を施す。また、畳込み符号化処理部２６９−ｂで符号化処理が施された４Ｋ用信号に基づくビットストリームに、マッピング処理部２７１−ｂで４０９６ＱＡＭ（Ｑｕａｄｒａｔｕｒｅ  Ａｍｐｌｉｔｕｄｅ  Ｍｏｄｕｌａｔｉｏｎ）や、１０２４ＱＡＭ、２５６ＱＡＭ等のマッピング処理が施されるとする。そこで、ビットインターリーブ処理部２７０−ｂは、４Ｋ用信号に基づくビットストリームに、例えば、それらマッピング処理に応じたビット数の遅延素子を挿入するビットインターリーブの処理を施す。畳込み符号化処理部２６９−ｃで符号化処理が施された２Ｋ用信号に基づくビットストリームに、マッピング処理部２７１−ｃで６４ＱＡＭ等のマッピング処理が施されるとする。そこで、ビットインターリーブ処理部２７０−ｃは、２Ｋ用信号に基づくビットストリームに、例えば、２４〜１２０ビットの遅延素子を挿入するビットインターリーブの処理を施す。
【００７２】
マッピング処理部２７１−ａ〜ｃは、ビットインターリーブ処理部２７０−ａ〜ｃによってビットインターリーブの処理が施されたビットストリームに、マッピング処理を行う。具体的には、マッピング処理部２７１−ａは、例えば、ビットインターリーブ処理部２７０−ａがビットインターリーブの処理を施したワンセグ用信号に基づくビットストリームに、ＱＰＳＫのマッピング処理を施す。また、マッピング処理部２７１−ｂは、例えば、ビットインターリーブ処理部２７０−ｂがビットインターリーブの処理を施した４Ｋ用信号に基づくビットストリームに、４０９６ＱＡＭや、１０２４ＱＡＭ、２５６ＱＡＭ等のマッピング処理を施す。マッピング処理部２７１−ｃは、例えば、ビットインターリーブ処理部２７０−ｃがビットインターリーブの処理を施した２Ｋ用信号に基づくビットストリームに、６４ＱＡＭ等のマッピング処理を施す。そして、マッピング処理部２７１−ａ〜ｃは、ワンセグ用信号に基づくビットストリームがマッピングされた信号、４Ｋ用信号に基づくビットストリームがマッピングされた信号、および２Ｋ用信号に基づくビットストリームがマッピングされた信号をそれぞれ階層合成部２７２に入力する。
【００７３】
階層合成部２７２は、予め指定されたパラメータで、マッピング処理部２７１−ａ〜ｃがそれぞれ入力した信号を合成してデータセグメントに挿入するとともに、速度変換を行う階層合成処理を行う。なお、データセグメントは、例えば、Ａ階層（つまり、ワンセグ用信号）に応じて１個、Ｂ階層（つまり、４Ｋ用信号）に応じて１０個、およびＣ階層（つまり、２Ｋ用信号）に応じて７個用意されているとする。
【００７４】
時間インターリーブ処理部２７３は、変調（マッピング処理）後のシンボルデータを時間的に分散させ、耐フェージング性能を改善させるために、変調シンボル単位（Ｉ，Ｑ軸単位）で、階層合成処理が施された信号に所定の時間インターリーブ処理を施す。
【００７５】
周波数インターリーブ処理部２７４は、時間に応じて、前述した１３個のセグメント内でキャリア（搬送波）の周波数を変更（ローテーション）させたり、各セグメント間で使用する周波数帯を交換したりする周波数インターリーブの処理を行う。なお、ワンセグ用信号に基づくセグメントについては、例えば、他のセグメントとの間で周波数帯を交換したりするセグメント間インターリーブの処理は行われなくてもよい。また、周波数インターリーブ処理部２７４は、セグメント構成を確保しつつ、十分なインターリーブ効果が発揮できるよう、例えば、セグメント間とセグメント内のインターリーブを組み合わせて行うように構成されている。
【００７６】
ＯＦＤＭフレーム構成部２７５には、周波数インターリーブ処理部２７４によって周波数インターリーブの処理が施された信号と、パイロット信号と、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号と、ＡＣ（Ａｕｘｉｌｉａｒｙ  Ｃｈａｎｎｅｌ）信号とが入力される。なお、パイロット信号は、例えば、連続キャリアである。また、ＴＭＣＣ信号は、例えば、制御情報を伝送するための信号であり、例えば、ＴＳパケットの同期バイトを示す情報が含まれているとする。ＡＣ信号は、例えば、放送に関する付加情報を伝送するための拡張用信号である。なお、パイロット信号は、例えば、パイロット信号用データである。また、ＴＭＣＣ信号は、例えば、ＴＭＣＣ信号用データである。ＡＣ信号は、例えば、ＡＣ信号用データである。さらに、上記周波数インターリーブの処理が施された信号に応じたデータ、パイロット信号用データ、ＴＭＣＣ信号用データおよびＡＣ信号用データをまとめてデータとも総称する。
【００７７】
そして、ＯＦＤＭフレーム構成部２７５は、入力された各信号に基づいてＯＦＤＭフレームを構成する。具体的には、ＯＦＤＭフレーム構成部２７５は、例えば、ＯＦＤＭの各キャリアにおける各シンボルに、各信号（ワンセグ用信号、２Ｋ用信号、４Ｋ用信号、パイロット信号、ＴＭＣＣ信号、およびＡＣ信号）の値を設定する。また、ＯＦＤＭフレーム構成部２７５は、ＯＦＤＭフレームの所定の箇所にヌルキャリアを挿入する。ヌルキャリアの挿入箇所の詳細については後述する。
【００７８】
なお、ＯＦＤＭフレーム構成部２７５は、例えば、水平偏波用のＯＦＤＭフレームと、垂直偏波用のＯＦＤＭフレームとを構成する。具体的には、ＯＦＤＭフレーム構成部２７５は、例えば、ワンセグ用信号に応じたセグメントに対応する信号と、２Ｋ用信号に応じたセグメントに対応する信号と、４Ｋ用信号に応じた１０個のセグメントのうち５個のセグメントに対応する信号と、パイロット信号と、ＴＭＣＣ信号と、ＡＣ信号とに応じて、水平偏波用のＯＦＤＭフレームを構成する。また、ＯＦＤＭフレーム構成部２７５は、例えば、４Ｋ用信号に応じた１０個のセグメントのうち残りの５個のセグメントに対応する信号と、パイロット信号と、ＴＭＣＣ信号と、ＡＣ信号とに応じて、垂直偏波用のＯＦＤＭフレームを構成する。なお、各パイロット信号は、本例のようにＢ階層に偏波ＭＩＭＯによる放送波が送信されるように構成された場合であっても、Ｃ階層における放送波の適切な受信が可能なように設定された周波数領域における位置に挿入される。ＯＦＤＭフレーム構成部２７５によって構成されるＯＦＤＭフレームの詳細およびパイロット信号の具体的な挿入位置については後述する。以下、ＯＦＤＭフレーム構成部２７５によって構成されるＯＦＤＭフレームをＯＦＤＭセグメント構成とも称する。
【００７９】
また、ＯＦＤＭフレーム構成部２７５は、受信部３００に、Ｂ階層における信号が差動変調され、Ｃ階層における信号が同期変調されていることを示すＴＭＣＣ信号を送信するように、水平偏波用のＯＦＤＭフレームを構成するように構成されていてもよい。
【００８０】
なお、ＴＭＣＣ情報によってＢ階層における信号が差動変調され、Ｃ階層における信号が同期変調されていることが示されている場合に、受信部３００は、周波数デインターリーブの処理を行う際に、Ｂ階層に応じたセグメントと、Ｃ階層に応じたセグメントとをそれぞれ別々に処理する。このように処理することによって、周波数デインターリーブの結果、Ｂ階層に応じたセグメントと、Ｃ階層に応じたセグメントとが混在してしまうことを防ぐことができる。
【００８１】
そして、ＯＦＤＭフレーム構成部２７５は、例えば、水平偏波用のＯＦＤＭフレームを正規化部２７６−ａに入力する。また、ＯＦＤＭフレーム構成部２７５は、例えば、垂直偏波用のＯＦＤＭフレームを正規化部２７６−ｂに入力する。
【００８２】
正規化部２７６−ａ，ｂは、入力されたそれぞれのＯＦＤＭフレームについて、各キャリアの送信信号レベルが同等になり、変調方式によらずＯＦＤＭシンボルの平均電力の互いの比が１になるように、正規化の処理を施す。そして、正規化部２７６−ａ，ｂは、正規化の処理が施された各ＯＦＤＭフレームをそれぞれＩＦＦＴ処理部２７７−ａ，ｂに入力する。
【００８３】
ＩＦＦＴ処理部２７７−ａ，ｂは、入力された各ＯＦＤＭフレームにそれぞれＩＦＦＴの処理を施し、周波数領域の信号を時間領域の信号に変換する。そして、ＩＦＦＴ処理部２７７−ａ，ｂは、変換後の時間領域の信号をガードインターバル付加処理部２７８−ａ，ｂにそれぞれ入力する。
【００８４】
ガードインターバル付加処理部２７８−ａ，ｂは、入力された時間領域の信号に、当該時間領域の信号における有効シンボルの前に所定の時間分のデータを付加するガードインターバルの付加処理を施す。
【００８５】
直交変調処理部２７９−ａ，ｂは、ガードインターバル付加処理部２７８−ａ，ｂによって入力された時間領域の信号に、所定の直交変調処理を施す。具体的には、直交変調処理部２７９−ａは、例えば、ガードインターバル付加処理部２７８−ａによって入力された時間領域の信号に所定の直交変調処理を施して、所定の送信周波数の第１のＯＦＤＭ信号に変換する。そして、直交変調処理部２７９−ａは、当該第１のＯＦＤＭ信号を第１の増幅部２４０に入力する。また、直交変調処理部２７９−ｂは、例えば、ガードインターバル付加処理部２７８−ｂによって入力された時間領域の信号に所定の直交変調処理を施して、所定の送信周波数の第２のＯＦＤＭ信号に変換する。そして、直交変調処理部２７９−ｂは、当該第２のＯＦＤＭ信号を第２の増幅部２５０に入力する。
【００８６】
次に、復調部４３０の構成について、図面を参照して説明する。図６〜９は、本発明の第１の実施形態における復調部４３０の構成を示すブロック図である。
【００８７】
図６〜９に示すように、本発明の第１の実施形態における復調部４３０は、Ａ−Ｄ（Ａｎａｌｏｇ  ｔｏ  Ｄｉｇｉｔａｌ）変換部５１１−ａ，ｂ、直交復調処理部５１２−ａ，ｂ、同期再生部５１３−ａ，ｂ、ＦＦＴ（Ｆａｓｔ  Ｆｏｕｒｉｅｒ  Ｔｒａｎｓｆｏｒｍ）処理部５１４−ａ，ｂ、フレーム抽出部５１５−ａ，ｂ、ＴＭＣＣ信号復号部５１６−ａ，ｂ、ＡＣ信号復号部５１７−ａ，ｂ、キャリア復調部５１８、周波数デインターリーブ処理部５１９、時間デインターリーブ処理部５２０、第１の階層分割部５２１、デマッピング処理部５２２−ａ〜ｃ、ビットデインターリーブ処理部５２３−ａ〜ｃ、デパンクチャ処理部５２４−ａ〜ｃ、階層合成部５２５、内符号復号部５２６、第２の階層分割部５２７、バイトデインターリーブ処理部５２８−ａ〜ｃ、エネルギー逆拡散処理部５２９−ａ〜ｃ、ＴＳ再生処理部５３０、および外符号復号部５３１を含む。
【００８８】
Ａ−Ｄ変換部５１１−ａ，ｂには、第１の受信処理部４１０，第２の受信処理部４２０によって所定の処理が施された受信信号がそれぞれ入力される。具体的には、Ａ−Ｄ変換部５１１−ａには、例えば、第１の受信処理部４１０によって所定の処理が施された受信信号が入力される。そして、Ａ−Ｄ変換部５１１−ａは、入力されたアナログ信号である受信信号をデジタル信号に変換する。そして、Ａ−Ｄ変換部５１１−ａは、デジタル信号に変換した受信信号を直交復調処理部５１２−ａに入力する。
【００８９】
また、Ａ−Ｄ変換部５１１−ｂには、例えば、第２の受信処理部４２０によって所定の処理が施された受信信号が入力される。そして、Ａ−Ｄ変換部５１１−ｂは、入力されたアナログ信号である受信信号をデジタル信号に変換する。そして、Ａ−Ｄ変換部５１１−ｂは、デジタル信号に変換した受信信号を直交復調処理部５１２−ｂに入力する。
【００９０】
そして、直交復調処理部５１２−ａ，ｂは、入力された受信信号に所定の直交復調処理を施す。具体的には、直交復調処理部５１２−ａ，ｂは、入力された受信信号と、互いに直交する復調用信号とをそれぞれ混合して、Ｉ成分の信号とＱ成分の信号とを得る。
【００９１】
そして、直交復調処理部５１２−ａ，ｂは、直交復調処理後の受信信号であるそれら信号を同期再生部５１３−ａ，ｂおよびＦＦＴ処理部５１４−ａ，ｂにそれぞれ入力する。
【００９２】
同期再生部５１３−ａ，ｂは、直交復調処理部５１２−ａ，ｂが入力した信号、ＦＦＴ処理部５１４−ａ，ｂによってＦＦＴ処理が施された信号、およびフレーム抽出部５１５−ａ，ｂが抽出したフレーム同期信号に基づいて、ＯＦＤＭにおけるキャリア数に応じたモード（本例では、モード３）、およびガードインターバル長に応じて、ＯＦＤＭシンボル同期およびＦＦＴサンプル周波数を再生する。具体的には、同期再生部５１３−ａ，ｂは、例えば、各部から入力された信号に基づいて、ＯＦＤＭシンボルの同期をとるためのタイミング、およびＦＦＴサンプル周波数を特定（再生）する。
【００９３】
ＦＦＴ処理部５１４−ａ，ｂは、同期再生部５１３−ａ，ｂが再生した情報に基づいて、直交復調処理部５１２−ａ，ｂが入力した信号にＦＦＴの処理を施し、直交復調処理部５１２−ａ，ｂが入力した時間領域の信号を周波数領域の信号に変換する。そして、ＦＦＴ処理部５１４−ａ，ｂは、同期再生部５１３−ａ，ｂ、フレーム抽出部５１５−ａ，ｂ、およびＡＣ信号復号部５１７−ａ，ｂに、変換後の周波数領域の信号を入力する。
【００９４】
フレーム抽出部５１５−ａ，ｂは、ＦＦＴ処理部５１４−ａ，ｂが入力した周波数領域の信号からフレーム同期信号を抽出する。そして、フレーム抽出部５１５−ａ，ｂは、同期再生部５１３−ａ，ｂおよびＴＭＣＣ信号復号部５１６−ａ，ｂに、抽出したフレーム同期信号を入力する。なお、フレーム抽出部５１５−ａ，ｂは、ＴＭＣＣ信号復号部５１６−ａ，ｂに、ＦＦＴ処理部５１４−ａ，ｂが入力した周波数領域の信号も入力する。
【００９５】
ＴＭＣＣ信号復号部５１６−ａ，ｂは、ＦＦＴ処理部５１４−ａ，ｂから出力された周波数領域の信号のうちのＴＭＣＣ信号から、ＴＭＣＣ情報を抽出する。そして、ＴＭＣＣ信号復号部５１６−ａ，ｂは、キャリア復調部５１８、周波数デインターリーブ処理部５１９、時間デインターリーブ処理部５２０、第１の階層分割部５２１、デマッピング処理部５２２−ａ〜ｃ、ビットデインターリーブ処理部５２３−ａ〜ｃ、デパンクチャ処理部５２４−ａ〜ｃ、階層合成部５２５、第２の階層分割部５２７、およびＴＳ再生処理部５３０に、抽出したＴＭＣＣ情報を入力する。
【００９６】
ＡＣ信号復号部５１７−ａ，ｂは、ＦＦＴ処理部５１４−ａ，ｂが入力した周波数領域の信号からＡＣ信号を抽出する。そして、ＡＣ信号復号部５１７−ａ，ｂは、ＡＣ信号のうち構成識別によって地震動警報情報の伝送であることが示されている場合に、地震動警報情報を抽出する。
【００９７】
キャリア復調部５１８には、ＦＦＴ処理部５１４−ａ，ｂが変換した周波数領域の信号がそれぞれ入力される。そこで、キャリア復調部５１８は、ＴＭＣＣ信号復号部５１６−ａ，ｂ（ＴＭＣＣ信号復号部５１６−ａとＴＭＣＣ信号復号部５１６−ｂとのうちいずれか一方であってもよい）が入力したＴＭＣＣ情報に基づいて、ＦＦＴ処理部５１４−ａ，ｂが入力した周波数領域の信号に、差動復調の処理や同期復調の処理を施す。具体的には、キャリア復調部５１８には、ＦＦＴ処理部５１４−ａ，ｂが入力した周波数領域の信号におけるＯＦＤＭセグメントに基づいて、ＯＦＤＭ信号を構成する各キャリアを特定し、各キャリアの振幅を示す振幅情報、および各キャリアの位相を示す位相情報を生成する。そして、キャリア復調部５１８は、ＦＦＴ処理部５１４−ａ，ｂが変換した周波数領域の信号と、振幅情報と、位相情報とを周波数デインターリーブ処理部５１９に入力する。
【００９８】
周波数デインターリーブ処理部５１９は、キャリア復調部５１８が入力した各情報に基づいて、周波数インターリーブ処理部２７４で施された周波数インターリーブの処理で変更された各キャリアの周波数や、交換された他のセグメントとの間で交換された周波数帯を元に戻す周波数デインターリーブの処理を、ＦＦＴ処理部５１４−ａ，ｂが変換した周波数領域の信号に施す。
【００９９】
時間デインターリーブ処理部５２０は、時間インターリーブ処理部２７３によって施された時間インターリーブ処理によって時間的に分散したシンボルデータを元の時間的な順序に戻す時間デインターリーブ処理を、周波数デインターリーブ処理部５１９によって周波数デインターリーブの処理が施された信号に施す。
【０１００】
第１の階層分割部５２１は、ＴＭＣＣ信号復号部５１６−ａ，ｂ（ＴＭＣＣ信号復号部５１６−ａとＴＭＣＣ信号復号部５１６−ｂとのうちいずれか一方であってもよい）が入力したＴＭＣＣ情報に基づいて、時間デインターリーブ処理部５２０が時間デインターリーブ処理を施した信号を各階層に応じた信号に分割する。具体的には、第１の階層分割部５２１は、例えば、時間デインターリーブ処理部５２０が時間デインターリーブ処理を施した信号において、Ａ階層に応じた周波数帯のキャリアの信号をデマッピング処理部５２２−ａに入力し、Ｂ階層に応じた周波数帯のキャリアの信号をデマッピング処理部５２２−ｂに入力し、Ｃ階層に応じた周波数帯のキャリアの信号をデマッピング処理部５２２−ｃに入力する。
【０１０１】
デマッピング処理部５２２−ａは、ＴＭＣＣ信号復号部５１６−ａ，ｂ（ＴＭＣＣ信号復号部５１６−ａとＴＭＣＣ信号復号部５１６−ｂとのうちいずれか一方であってもよい）が入力したＴＭＣＣ情報に基づいて、マッピング処理部２７１−ａが施したマッピング処理に応じたデマッピング処理を、第１の階層分割部５２１が入力した信号に施す。本例では、Ａ階層に応じた周波数帯のキャリアの信号には、マッピング処理部２７１−ａで、ＱＰＳＫのマッピング処理が施されている。そこで、デマッピング処理部５２２−ａは、第１の階層分割部５２１が入力した信号にＱＰＳＫに応じたデマッピング処理を施し、ビット情報（ビットストリーム）を抽出する。
【０１０２】
デマッピング処理部５２２−ｂは、ＴＭＣＣ信号復号部５１６−ａ，ｂ（ＴＭＣＣ信号復号部５１６−ａとＴＭＣＣ信号復号部５１６−ｂとのうちいずれか一方であってもよい）が入力したＴＭＣＣ情報に基づいて、マッピング処理部２７１−ｂが施したマッピング処理に応じたデマッピング処理を、第１の階層分割部５２１が入力した信号に施す。本例では、Ｂ階層に応じた周波数帯のキャリアの信号には、マッピング処理部２７１−ｂで、４０９６ＱＡＭや、１０２４ＱＡＭ、２５６ＱＡＭ等のマッピング処理が施されている。そこで、デマッピング処理部５２２−ｂは、第１の階層分割部５２１が入力した信号にそれらマッピング処理に応じたデマッピング処理を施し、ビット情報（ビットストリーム）を抽出する。
【０１０３】
デマッピング処理部５２２−ｃは、ＴＭＣＣ信号復号部５１６−ａ，ｂ（ＴＭＣＣ信号復号部５１６−ａとＴＭＣＣ信号復号部５１６−ｂとのうちいずれか一方であってもよい）が入力したＴＭＣＣ情報に基づいて、マッピング処理部２７１−ｃが施したマッピング処理に応じたデマッピング処理を、第１の階層分割部５２１が入力した信号に施す。本例では、Ｃ階層に応じた周波数帯のキャリアの信号には、マッピング処理部２７１−ｃで、６４ＱＡＭ等のマッピング処理が施されている。そこで、デマッピング処理部５２２−ｃは、第１の階層分割部５２１が入力した信号に６４ＱＡＭ等に応じたデマッピング処理を施し、ビット情報（ビットストリーム）を抽出する。
【０１０４】
ビットデインターリーブ処理部５２３−ａは、ビットインターリーブ処理部２７０−ａが施したビットインターリーブの処理に応じたビットデインターリーブの処理を、デマッピング処理部５２２−ａが抽出したビットストリームに施す。具体的には、本例では、ビットインターリーブ処理部２７０−ａで、ワンセグ用信号に基づくビットストリームに、例えば、１２０ビットの遅延素子を挿入したビットインターリーブの処理が施されている。そこで、ビットデインターリーブ処理部５２３−ａは、例えば、デマッピング処理部５２２−ａが抽出したビットストリームから、例えば、１２０ビットの遅延素子を消去するビットデインターリーブの処理を行う。
【０１０５】
ビットデインターリーブ処理部５２３−ｂは、ビットインターリーブ処理部２７０−ｂが施したビットインターリーブの処理に応じたビットデインターリーブの処理を、デマッピング処理部５２２−ｂが抽出したビットストリームに施す。具体的には、本例では、ビットインターリーブ処理部２７０−ｂで、４Ｋ用信号に基づくビットストリームに、例えば、マッピング処理部２７１−ｂにおけるマッピング処理に応じたビット数の遅延素子を挿入するビットインターリーブの処理が施されている。そこで、ビットデインターリーブ処理部５２３−ｂは、例えば、デマッピング処理部５２２−ｂが抽出したビットストリームから、例えば、当該遅延素子を消去するビットデインターリーブの処理を行う。
【０１０６】
ビットデインターリーブ処理部５２３−ｃは、ビットインターリーブ処理部２７０−ｃが施したビットインターリーブの処理に応じたビットデインターリーブの処理を、デマッピング処理部５２２−ｃが抽出したビットストリームに施す。具体的には、本例では、ビットインターリーブ処理部２７０−ｃで、２Ｋ用信号に基づくビットストリームに、例えば、マッピング処理部２７１−ｃにおけるマッピング処理に応じた２４〜１２０ビットの遅延素子を挿入するビットインターリーブの処理が施されている。そこで、ビットデインターリーブ処理部５２３−ｃは、例えば、デマッピング処理部５２２−ｃが抽出したビットストリームから、例えば、当該遅延素子を消去するビットデインターリーブの処理を行う。
【０１０７】
デパンクチャ処理部５２４−ａ〜ｃは、ＴＭＣＣ信号復号部５１６−ａ，ｂ（ＴＭＣＣ信号復号部５１６−ａとＴＭＣＣ信号復号部５１６−ｂとのうちいずれか一方であってもよい）が入力したＴＭＣＣ情報によって指定された畳込み符号化率に応じて、畳込み符号のビット補間を行う。なお、ＴＭＣＣ情報によって階層ごとの符号化率が示されているとする。そこで、デパンクチャ処理部５２４−ａは、ＴＭＣＣ情報によって示されているＡ階層の符号化率に応じて、畳込み符号のビット補間を行う。また、デパンクチャ処理部５２４−ｂは、ＴＭＣＣ情報によって示されているＢ階層の符号化率に応じて、畳込み符号のビット補間を行う。そして、デパンクチャ処理部５２４−ｃは、ＴＭＣＣ情報によって示されているＣ階層の符号化率に応じて、畳込み符号のビット補間を行う。
【０１０８】
階層合成部５２５は、デパンクチャ処理部５２４−ａ〜ｃによってそれぞれビットが補間された各階層のビットストリームを合成する。
【０１０９】
内符号復号部５２６は、デパンクチャ処理部５２４−ａ〜ｃによってビットが補間されて階層合成部５２５によって合成されたビットストリームに、復号処理を施す。具体的には、内符号復号部５２６は、当該ビットストリームに、例えば、ビタビ（Ｖｉｔｅｒｂｉ）アルゴリズムに基づく復号処理を施す。
【０１１０】
第２の階層分割部５２７は、ＴＭＣＣ信号復号部５１６−ａ，ｂが入力したＴＭＣＣ情報に基づいて、内符号復号部５２６によって復号処理が施されたビットストリームを各階層に応じたビットストリームに分割する。具体的には、第２の階層分割部５２７は、例えば、復号処理が施されたビットストリームのうち、Ａ階層に応じたビットによるビットストリームを構成して、バイトデインターリーブ処理部５２８−ａに入力する。また、第２の階層分割部５２７は、例えば、復号処理が施されたビットストリームのうち、Ｂ階層に応じたビットによるビットストリームを構成して、バイトデインターリーブ処理部５２８−ｂに入力する。そして、第２の階層分割部５２７は、例えば、復号処理が施されたビットストリームのうち、Ｃ階層に応じたビットによるビットストリームを構成して、バイトデインターリーブ処理部５２８−ｃに入力する。
【０１１１】
バイトデインターリーブ処理部５２８−ａ〜ｃは、入力されたビット単位のデータ（ビットストリーム）をバイト単位のデータに変換する。そして、バイトデインターリーブ処理部５２８−ａ〜ｃは、例えば、バイトインターリーブ処理部２６７−ａ〜ｃで畳込みバイトインターリーブの処理が施されて設定された遅延量をリセットするバイトデインターリーブの処理を当該データに施す。
【０１１２】
エネルギー逆拡散処理部５２９−ａ〜ｃは、バイトデインターリーブ処理部５２８−ａ〜ｃによってバイトデインターリーブの処理が施されたバイト単位のデータをビット単位のビットストリームに変換し、変換後のビットストリームにエネルギー逆拡散の処理を施す。具体的には、エネルギー逆拡散処理部５２９−ａ〜ｃは、例えば、当該ビットストリームのうちＴＳパケットの同期バイトを除くビット列と、エネルギー拡散部２６４−ａ〜ｃがエネルギー拡散の処理に用いた所定のＰＲＢＳとで、それぞれビット単位の排他的論理和を算出する。そして、エネルギー逆拡散処理部５２９−ａ〜ｃは、エネルギー逆拡散の処理を施した結果として、ＴＳ再生処理部５３０にそれぞれの算出結果のデータを入力する。
【０１１３】
ＴＳ再生処理部５３０は、ＴＭＣＣ信号復号部５１６−ａ，ｂ（ＴＭＣＣ信号復号部５１６−ａとＴＭＣＣ信号復号部５１６−ｂとのうちいずれか一方であってもよい）が入力したＴＭＣＣ情報に基づいてＴＳの同期バイトを参照して、入力されたデータを互いに多重してＴＳパケットに分割することによって、送信側と同様なＴＳフレーム構成を再現する。
【０１１４】
外符号復号部５３１は、ＴＳ再生処理部５３０が再現したＴＳフレーム構成のＴＳパケットに、外符号処理部２６１−ａ，２６２−ｂで付された所定の検査用の符号に基づいて、誤りを検出および訂正する復号処理を施して、ＴＳパケットを生成する。
【０１１５】
外符号復号部５３１が生成したＴＳパケットは、復号部４４０によって映像信号に変換され、映像表示装置等によって映像が再生される。
【０１１６】
なお、受信部３００にも、分配器７００を介して水平偏波用のアンテナ６０１によって受信された受信信号が入力される。そして、受信部３００は、例えば、現状の地上デジタルテレビジョン放送の伝送方式に基づいて、入力された受信信号に応じた映像をテレビジョン受像機に再生させる。
【０１１７】
したがって、本発明の第１の実施形態における受信部４００に接続された映像表示装置等には４Ｋ用信号に基づく映像が再生される。また、受信部３００に接続されたテレビジョン受像機には２Ｋ用信号に応じて現状の地上デジタルテレビジョン放送の伝送方式に基づく映像が再生される。よって、本発明の第１の実施形態の放送システム１００は、現状の地上デジタルテレビジョン放送の放送システムと共存可能である。
【０１１８】
次に、本発明の第１の実施形態の送信部２００の動作について説明する。図１０は、本発明の第１の実施形態における変調部２３０の動作を示すフローチャートである。
【０１１９】
まず、変調部２３０には、ワンセグ用信号、２Ｋ用信号、および４Ｋ用信号が入力される（ステップＳ１０１）。
【０１２０】
変調部２３０の各部が、入力されたワンセグ用信号、２Ｋ用信号、および４Ｋ用信号を合成して、伝送路符号化処理を施す（ステップＳ１０２）。例えば、ＯＦＤＭフレーム構成部２７５は、後述するＯＦＤＭフレームを構成する。
【０１２１】
変調部２３０は、水平偏波用のアンテナ５０１によって送信される電磁波用の第１のＯＦＤＭ信号、および垂直偏波用のアンテナ５０２によって送信される電磁波用の第２のＯＦＤＭ信号を生成する（ステップＳ１０３）。
【０１２２】
変調部２３０は、第１の増幅部２４０に、生成した第１のＯＦＤＭ信号を入力する。また、変調部２３０は、第２の増幅部２５０に、生成した第２のＯＦＤＭ信号を入力する。第１の増幅部２４０は、変調部２３０が入力した第１のＯＦＤＭ信号を所定の増幅率で増幅する（ステップＳ１０４）。そして、第１の増幅部２４０は、増幅後の第１のＯＦＤＭ信号をアンテナ５０１に入力する。第１の増幅部２４０によって増幅された第１のＯＦＤＭ信号は、アンテナ５０１によって電磁波に変換されて水平偏波で放射される。
【０１２３】
第２の増幅部２５０は、変調部２３０が入力した第２のＯＦＤＭ信号を予め決められた増幅率で増幅する（ステップＳ１０４）。そして、第２の増幅部２５０は、増幅後の第２のＯＦＤＭ信号をアンテナ５０２に入力する。第２の増幅部２５０によって増幅された第２のＯＦＤＭ信号は、アンテナ５０２によって電磁波に変換されて垂直偏波で放射される。
【０１２４】
本実施形態によれば、送信部２００の変調部２３０が、入力された２Ｋ用信号および４Ｋ用信号に基づいて、互いの偏波面を異ならせて送信可能な２種類のＯＦＤＭ送信信号を生成する。そして、受信部４００の復調部４３０が、送信部２００によって生成されて送信されたＯＦＤＭ送信信号に基づく受信信号を復調して、復号部４４０によって２Ｋ用信号および４Ｋ用信号に変換可能なＴＳパケットを生成する。
【０１２５】
したがって、現状の地上デジタルテレビジョン放送の送信に用いられている電磁波、および当該電磁波の偏波面と異なる偏波面の電磁波を用いて、受信側において、ワンセグ用信号に応じた映像、２Ｋ用信号に応じた映像、および４Ｋ用信号に応じた映像のうち少なくとも１つを再生可能にするように、データを伝送することができる。
【０１２６】
また、２Ｋ用信号に応じた電磁波の偏波面を現状の地上デジタルテレビジョン放送の送信に用いられている電磁波の偏波面と同じように設定した場合には、受信側で、現状の地上デジタルテレビジョン放送を受信および映像再生可能な状態を継続させつつ、新たに４Ｋ用信号に応じた映像を再生可能にすることができる。
【０１２７】
なお、以上に述べた例では、４Ｋ用信号に応じたデータが送受信されるＢ階層によって１０個（水平偏波で５個、垂直偏波で５個の合計で１０個）のセグメントが利用されるとして説明した。しかし、４Ｋ用信号に応じたデータが送受信されるＢ階層によって８個（水平偏波で４個、垂直偏波で４個の合計で８個）等の他の数のセグメントが利用されるように構成されてもよい。
【０１２８】
図１１は、Ｂ階層によって利用されるセグメントの数と、４Ｋ用信号の変調方式とに応じたパラメータの例を示す説明図である。
【０１２９】
図１１に示す例では、２Ｋの欄には、現状の地上デジタルテレビジョン放送に応じた値が示されている。また、４Ｋの欄には、Ｂ階層およびＣ階層において、それぞれ４個のセグメントを用いた場合と、それぞれ５個のセグメントを用いた場合とについて、変調方式毎のＴＳレートが示されている。
【０１３０】
図１１に示されているように、４Ｋの変調方式の多値数がより大きいほど、ＴＳレートの値がより大きくなる。また、図１１に示されているように、４Ｋ用の信号に応じたデータの伝送に使用するセグメント数が多いほど、４Ｋ用の信号に応じたデータの伝送のＴＳレートの値がより大きくなる。同様に、図１１に示されているように、２Ｋ用の信号に応じたデータの伝送に使用するセグメント数が多いほど、２Ｋ用の信号に応じたデータの伝送のＴＳレートの値がより大きくなる。
【０１３１】
次に、ＯＦＤＭフレーム構成部２７５によって構成されるＯＦＤＭフレームについて、図面を参照して詳細に説明する。
【０１３２】
図１２は、２Ｋ用信号に応じたＯＦＤＭセグメント構成（以下、２Ｋ用ＯＦＤＭセグメント構成とも称する）と４Ｋ用信号に応じたＯＦＤＭセグメント構成（以下、４Ｋ用ＯＦＤＭセグメント構成とも称する）との境界に接する部分を含むＯＦＤＭセグメント構成の一例を示している。
【０１３３】
図１２に示されている２Ｋ用ＯＦＤＭセグメント構成は、例えば、４３２個のキャリアと、２０４個のＯＦＤＭシンボルとから構成されている。また、図１２に示されている４Ｋ用ＯＦＤＭセグメント構成は、例えば、４３２個のキャリアと、２０４個のＯＦＤＭシンボルとから構成されている。以下、ＯＦＤＭシンボルをシンボルとも称する。
【０１３４】
なお、図１２において、ヌルキャリアが挿入されている箇所が「ｘ」で示されている。図１２において、パイロット信号が挿入されている箇所が「１」で示されている。図１２の２Ｋ用ＯＦＤＭセグメント構成において、２Ｋ用信号が挿入されている箇所が「Ｄ」で示されている。図１２の４Ｋ用ＯＦＤＭセグメント構成において、４Ｋ用信号が挿入されている箇所が「Ｄ」で示されている。また、図１２において、ＡＣ信号またはＴＭＣＣ信号等が挿入されている箇所も「Ｄ」で示されている。つまり、パイロット信号またはヌルキャリアが挿入されている箇所以外の箇所は、２Ｋ用信号、４Ｋ用信号、ＡＣ信号またはＴＭＣＣ信号等が挿入されて送信される箇所である。
【０１３５】
図１２に示されているように、２Ｋ用ＯＦＤＭセグメント構成には、現状の地上デジタルテレビジョン放送の伝送方式に従って、パイロット信号が所定の間隔で挿入されている。
【０１３６】
具体的には、例えば、２Ｋ用ＯＦＤＭセグメント構成では、パイロット信号は、キャリア方向において、１２キャリアに１回挿入され、シンボル方向において、４シンボルに１回挿入されて送信される。
【０１３７】
また、図１２に示されているように、水平偏波側および垂直偏波側の４Ｋ用ＯＦＤＭセグメント構成には、パイロット信号が所定の間隔で挿入されている。
【０１３８】
具体的には、例えば、４Ｋ用ＯＦＤＭセグメント構成において、パイロット信号は、キャリア方向において、２４キャリアに１回挿入され、シンボル方向において、８シンボルに１回挿入されて送信される。
【０１３９】
また、図１２に示されているように、水平偏波側および垂直偏波側の４Ｋ用ＯＦＤＭセグメント構成において、ヌル（ＮＵＬＬ）キャリアが所定の間隔で挿入されている。なお、例えば、ヌルキャリアが挿入されている箇所では信号が送信されない。また、ヌルキャリアは、ヌルパイロット信号とも称される。
【０１４０】
具体的には、例えば、４Ｋ用ＯＦＤＭセグメント構成において、ヌルキャリアは、キャリア方向において、２４キャリアに１回挿入され、シンボル方向において、８シンボルに１回挿入されている。
【０１４１】
また、図１２に示されているように、水平偏波側の４Ｋ用ＯＦＤＭセグメント構成においてパイロット信号が挿入されている箇所に対応する、垂直偏波側の４Ｋ用ＯＦＤＭセグメント構成における箇所には、ヌルキャリアが挿入されている。
【０１４２】
具体的には、例えば、水平偏波側の４Ｋ用ＯＦＤＭセグメント構成において、キャリア番号が０で、ＯＦＤＭシンボル番号が０の箇所にはパイロット信号が挿入され、垂直偏波側の４Ｋ用ＯＦＤＭセグメント構成において、キャリア番号が０で、ＯＦＤＭシンボル番号が０の箇所には、ヌルキャリアが挿入されている。なお、以下、ＯＦＤＭシンボル番号を、シンボル番号とも称する。
【０１４３】
また、図１２に示されているように、水平偏波側の４Ｋ用ＯＦＤＭセグメント構成においてヌルキャリアが挿入されている箇所と対応する、垂直偏波側の４Ｋ用ＯＦＤＭセグメント構成における箇所には、パイロット信号が挿入されている。
【０１４４】
具体的には、例えば、水平偏波側の４Ｋ用ＯＦＤＭセグメント構成において、キャリア番号が３で、シンボル番号が１の箇所にはヌルキャリアが挿入され、垂直偏波側の４Ｋ用ＯＦＤＭセグメント構成において、キャリア番号が３で、シンボル番号が１の箇所には、パイロット信号が挿入されている。
【０１４５】
受信部３００は、現状の地上デジタルテレビジョン放送の伝送方式に従って、パイロット信号に基づいて、伝送路特性の推定を行い、受信した信号に等化処理を施す。具体的には、例えば、受信部３００は、送信されたパイロット信号と、既知のパイロット信号とに基づいて、位相情報（例えば、送信されたパイロット信号と、既知のパイロット信号との位相差に応じた値）を取得し、当該位相情報に基づき伝送路特性の推定を行う。そして、受信部３００は、当該伝送路特性の推定結果に基づき、受信した信号に等化処理を施す。
【０１４６】
ここで、受信部３００は、例えば、ＴＭＣＣ情報によって、Ｂ階層における信号が差動変調されていることが示されている場合に、水平偏波側の４Ｋ用ＯＦＤＭセグメント構成においても、現状の地上デジタルテレビジョン放送の伝送方式に従って、パイロット信号が挿入されているという前提で、２Ｋ用信号に等化処理を施す。
【０１４７】
具体的には、例えば、受信部３００は、水平偏波側の４Ｋ用ＯＦＤＭセグメント構成における先頭のキャリア（つまり、キャリア番号が０のキャリア）には、パイロット信号が挿入されているという前提で、２Ｋ用信号に等化処理等を施す。
【０１４８】
しかしながら、現状の地上デジタルテレビジョン放送の伝送方式とは異なる伝送方式に従って設定される水平偏波側の４Ｋ用ＯＦＤＭセグメント構成において、図１２に示されているように、キャリア番号が０の箇所にヌルキャリアが挿入された場合に、受信部３００は、適切に受信信号に等化処理を施すことができないおそれがある。このため、Ｂ階層とＣ階層とにおいて、互いの境界に接する部分におけるキャリアのＭＥＲ（Ｍｏｄｕｌａｔｉｏｎ  Ｅｒｒｏｒ  Ｒａｔｉｏ）が悪化し、ＢＥＲ（Ｂｉｔ  Ｅｒｒｏｒ  Ｒａｔｅ）が劣化してしまう可能性がある。
【０１４９】
そこで、本実施形態のＯＦＤＭフレーム構成部２７５は、受信部３００が適切に受信信号に等化処理を施すことができるように、水平偏波側の４Ｋ用ＯＦＤＭセグメント構成において、パイロット信号を適切な位置に挿入するように構成されている。
【０１５０】
図１３は、ＯＦＤＭフレーム構成部２７５によって構成されたＯＦＤＭセグメント構成の一例を示しており、２Ｋ用ＯＦＤＭセグメント構成と４Ｋ用ＯＦＤＭセグメント構成との境界に接する部分を含むＯＦＤＭセグメント構成の一例を示している。
【０１５１】
図１３に示されている２Ｋ用ＯＦＤＭセグメント構成は、例えば、４３２個のキャリアと、２０４個のシンボルとから構成されている。また、図１３に示されている４Ｋ用ＯＦＤＭセグメント構成は、例えば、４３２個のキャリアと、２０４個のシンボルとから構成されている。
【０１５２】
なお、図１３において、ヌルキャリアが挿入されている箇所が「ｘ」で示されている。図１３において、パイロット信号が挿入されている箇所が「１」で示されている。図１３の２Ｋ用ＯＦＤＭセグメント構成において、２Ｋ用信号が挿入されている箇所が「Ｄ」で示されている。図１３の４Ｋ用ＯＦＤＭセグメント構成において、４Ｋ用信号が挿入されている箇所が「Ｄ」で示されている。また、図１３において、ＡＣ信号またはＴＭＣＣ信号等が挿入されている箇所も「Ｄ」で示されている。つまり、パイロット信号またはヌルキャリアが挿入されている箇所以外の箇所は、２Ｋ用信号、４Ｋ用信号、ＡＣ信号またはＴＭＣＣ信号等が挿入されて送信される箇所である。
【０１５３】
図１３に示されているように、ＯＦＤＭフレーム構成部２７５は、図１２に示されているＯＦＤＭセグメント構成と同様に、２Ｋ用ＯＦＤＭセグメント構成および４Ｋ用ＯＦＤＭセグメント構成にパイロット信号およびヌルキャリアを所定の間隔で挿入する。なお、受信部４００は、４Ｋ用ＯＦＤＭセグメント構成に挿入されている当該パイロット信号に基づいて、伝送路特性の推定を行い、受信した信号に等化処理を施す。具体的には、例えば、受信部４００は、挿入されている当該パイロット信号と、既知のパイロット信号とに基づいて、位相情報（例えば、挿入されている当該パイロット信号と、既知のパイロット信号との位相差に応じた値）を取得し、当該位相情報に基づき伝送路特性の推定を行う。そして、受信部４００は、当該伝送路特性の推定結果に基づき、受信した信号に等化処理を施す。
【０１５４】
なお、第２の画質再生用のデータは、例えば、水平偏波側の２Ｋ用ＯＦＤＭセグメント構成に含まれている２Ｋ用信号に応じたデータ、パイロット信号用データ、ＴＭＣＣ信号用データおよびＡＣ信号用データに相当する。
【０１５５】
また、一方の偏波アンテナ送信用のデータは、例えば、水平偏波側の２Ｋ用ＯＦＤＭセグメント構成および４Ｋ用ＯＦＤＭセグメント構成に含まれている２Ｋ用信号に応じたデータ、４Ｋ用信号に応じたデータ、パイロット信号用データ、ＴＭＣＣ信号用データおよびＡＣ信号用データに相当する。
【０１５６】
また、他方の偏波アンテナ送信用のデータは、例えば、垂直偏波側の４Ｋ用ＯＦＤＭセグメント構成に含まれている４Ｋ用信号に応じたデータ、パイロット信号用データ、ＴＭＣＣ信号用データおよびＡＣ信号用データに相当する。
【０１５７】
具体的には、例えば、２Ｋ用ＯＦＤＭセグメント構成において、ＯＦＤＭフレーム構成部２７５は、キャリア方向において、１２キャリアに１回、パイロット信号およびヌルキャリアを挿入する。すなわち、１２キャリア毎にパイロット信号およびヌルキャリアが挿入される。したがって、パイロット信号およびヌルキャリアは１１キャリア間隔で挿入される。また、具体的には、例えば、２Ｋ用ＯＦＤＭセグメント構成において、ＯＦＤＭフレーム構成部２７５は、シンボル方向において、４シンボルに１回、パイロット信号およびヌルキャリアを挿入する。すなわち、４シンボル毎にパイロット信号およびヌルキャリアが挿入される。したがって、パイロット信号およびヌルキャリアは３シンボル間隔で挿入される。
【０１５８】
また、図１３に示されているように、ＯＦＤＭフレーム構成部２７５は、図１２に示されているＯＦＤＭセグメント構成と同様に、水平偏波側および垂直偏波側の４Ｋ用ＯＦＤＭセグメント構成に、パイロット信号およびヌルキャリアを所定の間隔で挿入する。
【０１５９】
具体的には、例えば、４Ｋ用ＯＦＤＭセグメント構成において、ＯＦＤＭフレーム構成部２７５は、キャリア方向において、２４キャリアに１回、パイロット信号およびヌルキャリアを挿入する。すなわち、２４キャリア毎にパイロット信号およびヌルキャリアが挿入される。したがって、パイロット信号およびヌルキャリアは２３キャリア間隔で挿入される。また、具体的には、例えば、４Ｋ用ＯＦＤＭセグメント構成において、ＯＦＤＭフレーム構成部２７５は、シンボル方向において、８シンボルに１回、パイロット信号およびヌルキャリアを挿入する。すなわち、８シンボル毎にパイロット信号およびヌルキャリアが挿入される。したがって、パイロット信号およびヌルキャリアは７シンボル間隔で挿入される。
【０１６０】
図１３に示されているように、ＯＦＤＭフレーム構成部２７５は、図１２に示されているＯＦＤＭセグメント構成と同様に、水平偏波側の４Ｋ用ＯＦＤＭセグメント構成においてパイロット信号が挿入されている箇所に対応する、垂直偏波側の４Ｋ用ＯＦＤＭセグメント構成における箇所に、ヌルキャリアを挿入する。
【０１６１】
具体的には、例えば、ＯＦＤＭフレーム構成部２７５は、水平偏波側の４Ｋ用ＯＦＤＭセグメント構成において、キャリア番号が０で、シンボル番号が０の箇所に、パイロット信号を挿入し、垂直偏波側の４Ｋ用ＯＦＤＭセグメント構成において、キャリア番号が０で、シンボル番号が０の箇所に、ヌルキャリアを挿入する。
【０１６２】
また、図１３に示されているように、ＯＦＤＭフレーム構成部２７５は、図１２に示されているＯＦＤＭセグメント構成と同様に、水平偏波側の４Ｋ用ＯＦＤＭセグメント構成においてヌルキャリアが挿入されている箇所に対応する、垂直偏波側の４Ｋ用ＯＦＤＭセグメント構成における箇所に、パイロット信号を挿入する。
【０１６３】
具体的には、例えば、ＯＦＤＭフレーム構成部２７５は、水平偏波側の４Ｋ用ＯＦＤＭセグメント構成において、キャリア番号が３で、シンボル番号が１の箇所にヌルキャリアを挿入し、垂直偏波側の４Ｋ用ＯＦＤＭセグメント構成において、キャリア番号が３で、シンボル番号が１の箇所に、パイロット信号を挿入する。
【０１６４】
このように構成することによって、水平偏波用のアンテナから送信される信号と垂直偏波用のアンテナから送信される信号とが互いに干渉してしまう可能性を低減することができる。
【０１６５】
また、図１３に示されているように、ＯＦＤＭフレーム構成部２７５は、水平偏波側の４Ｋ用ＯＦＤＭセグメント構成における先頭のキャリア（つまり、キャリア番号が０のキャリア）に、パイロット信号を挿入する。
【０１６６】
図１３に示されているように、ＯＦＤＭフレーム構成部２７５は、垂直偏波側の４Ｋ用ＯＦＤＭセグメント構成における先頭のキャリア（つまり、キャリア番号が０のキャリア）に、ヌルキャリアを挿入する。
【０１６７】
なお、図１３に示されている２Ｋ用ＯＦＤＭセグメント構成において、シンボル番号が８〜１５のシンボルには、シンボル番号が０〜７のシンボルにおける信号配置と同様の信号配置がなされている。つまり、２Ｋ用ＯＦＤＭセグメント構成において、シンボル番号が０〜７のシンボルにおける信号配置と同様の信号配置が繰り返しなされている。
【０１６８】
また、図１３に示されている水平偏波側の４Ｋ用ＯＦＤＭセグメント構成において、シンボル番号が８〜１５のシンボルには、シンボル番号が０〜７のシンボルにおける信号配置と同様の信号配置がなされている。つまり、水平偏波側の４Ｋ用ＯＦＤＭセグメント構成において、シンボル番号が０〜７のシンボルにおける信号配置と同様の信号配置が繰り返しなされている。
【０１６９】
また、図１３に示されている垂直偏波側の４Ｋ用ＯＦＤＭセグメント構成において、シンボル番号が８〜１５のシンボルには、シンボル番号が０〜７のシンボルにおける信号配置と同様の信号配置がなされている。つまり、垂直偏波側の４Ｋ用ＯＦＤＭセグメント構成において、シンボル番号が０〜７のシンボルにおける信号配置と同様の信号配置が繰り返しなされている。
【０１７０】
図１３に示されているＯＦＤＭセグメント構成の場合に、受信部３００は、水平偏波側の４Ｋ用ＯＦＤＭセグメント構成における先頭のキャリアに挿入されているパイロット信号に基づいて、２Ｋ用信号に等化処理を施すことができる。つまり、Ｂ階層とＣ階層との境界に接する部分におけるキャリアのＭＥＲの悪化およびＢＥＲの劣化が抑制されることになる。その結果として、受信部３００は、例えば、現状の地上デジタルテレビジョン放送の伝送方式に基づいて、入力された受信信号に応じた映像をテレビジョン受像機に再生させることができる。したがって、新地上波放送と、現状の地上デジタルテレビジョン放送とが共存した場合でも、現状の地上デジタルテレビジョン放送の伝送方式に基づいて入力された受信信号に応じた映像を再生可能なテレビジョン受像機は、当該映像を適切に再生できる。
【０１７１】
なお、４Ｋ用ＯＦＤＭセグメント構成におけるパイロット信号およびヌルキャリアの挿入間隔は、図１３に示されている例に限られない。例えば、図１３に示されているパイロット信号およびヌルキャリアの挿入間隔よりも広い間隔となるように、ＯＦＤＭフレームが構成されていてもよいし、図１３に示されているパイロット信号およびヌルキャリアの挿入間隔よりも狭い間隔となるようにＯＦＤＭフレームが構成されていてもよい。
【０１７２】
具体的には、例えば、パイロット信号がキャリア方向において、４８キャリアに１回挿入され、シンボル方向において、６シンボルに１回挿入されるようにＯＦＤＭフレームが構成されていてもよい。すなわち、例えば、４８キャリア毎にパイロット信号が挿入され、６シンボル毎にパイロット信号が挿入されるようにＯＦＤＭフレームが構成されていてもよい。
【０１７３】
また、図１３に示されているＯＦＤＭセグメント構成では、水平偏波側の４Ｋ用ＯＦＤＭセグメント構成における先頭のキャリアには、すべてのシンボルにわたってパイロット信号が挿入されていたが、２Ｋ用ＯＦＤＭセグメント構成におけるパイロット信号の挿入間隔に応じた箇所にのみパイロット信号が挿入されるようにフレームが構成されていてもよい。
【０１７４】
具体的には、例えば、ＯＦＤＭフレーム構成部２７５は、水平偏波側の４Ｋ用ＯＦＤＭセグメント構成において、キャリア番号が０で、シンボル番号が４の箇所にパイロット信号を挿入し、垂直偏波側の４Ｋ用ＯＦＤＭセグメント構成において、キャリア番号が０で、シンボル番号が４の箇所に、ヌルキャリアを挿入するように構成されていてもよい。
【０１７５】
また、上述のようにパイロット信号およびヌルキャリアが挿入された場合に、ＯＦＤＭフレーム構成部２７５は、水平偏波側および垂直偏波側の４Ｋ用ＯＦＤＭセグメント構成において、当該パイロット信号および当該ヌルキャリアが挿入された箇所以外の箇所では、４Ｋ用信号が送信されるようにＯＦＤＭフレームを構成するように構成されていてもよい。具体的には、例えば、ＯＦＤＭフレーム構成部２７５は、キャリア番号が０で、シンボル番号が１〜３，５〜７の箇所には、４Ｋ用信号が送信されるようにＯＦＤＭフレームを構成するように構成されていてもよい。
【０１７６】
このように構成することによって、Ｂ階層におけるデータレートを向上させることができる。
【０１７７】
また、ＯＦＤＭフレーム構成部２７５は、Ｂ階層において、Ａ階層との境界に接する部分についても、図１３で示したＯＦＤＭセグメント構成と同様に、パイロット信号およびヌルキャリアを挿入するように構成されていてもよい。具体的には、例えば、ＯＦＤＭフレーム構成部２７５は、ワンセグ用信号に応じたＯＦＤＭセグメント構成と４Ｋ用ＯＦＤＭセグメント構成との境界に接する部分において、水平偏波側の当該４Ｋ用ＯＦＤＭセグメント構成における先頭のキャリアにパイロット信号を挿入し、垂直偏波側の当該４Ｋ用ＯＦＤＭセグメント構成における先頭のキャリアにヌルキャリアを挿入するように構成されていてもよい。
【０１７８】
また、ＯＦＤＭフレーム構成部２７５は、水平偏波側の４Ｋ用ＯＦＤＭセグメント構成における末尾のキャリア（つまり、キャリア番号が４３２であるキャリア）にも、パイロット信号を挿入するように構成されていてもよい。この場合に、ＯＦＤＭフレーム構成部２７５は、垂直偏波側の４Ｋ用ＯＦＤＭセグメント構成における末尾のキャリアには、ヌルキャリアを挿入する。具体的には、例えば、ＯＦＤＭフレーム構成部２７５は、水平偏波側の４Ｋ用ＯＦＤＭセグメント構成における末尾のキャリアにおいて、すべてのシンボルにわたってパイロット信号を挿入するように構成されていてもよい。
【０１７９】
このように構成することによって、例えば、受信部４００が当該末尾のキャリアに挿入されているパイロット信号も用いて受信信号に等化処理を施すことができる場合には、伝送路特性の推定精度を向上させることができる。
【０１８０】
なお、以上に述べた例において、一方が水平偏波であり他方が垂直偏波であるとして説明したが、一方が垂直偏波であり他方が水平偏波であってもよい。
【０１８１】
また、本例では、ワンセグ用信号、２Ｋ用信号、および４Ｋ用信号はいずれもそれぞれＴＳであるとして説明したが、ＭＭＴ（ＭＰＥＧ  Ｍｅｄｉａ  Ｔｒａｎｓｐｏｒｔ）方式のパケットに応じた信号等の、他の形式の信号であってもよい。
【０１８２】
また、本例では、受信部３００と受信部４００とが水平偏波用のアンテナ６０１を共有するように構成されているが、受信部３００と受信部４００とにそれぞれ別個のアンテナが接続されるように構成されていてもよい。
【０１８３】
実施形態２．
本発明の第２の実施形態の放送システムについて、図面を参照して説明する。図１４は、本発明の第２の実施形態の放送システム１０１の構成例を示すブロック図である。
【０１８４】
放送システム１０１は、第１の実施形態の放送システム１００に対して、送信部２０１がＯＦＤＭセグメント構成の所定の箇所にＴＭＣＣ信号およびＡＣ信号を挿入する点や受信部４０１が所定のパイロット信号に基づいて、受信信号に等化処理を施す点で異なる。その他の構成要素は、図１等に示す第１の実施形態における構成と同様なため、当該その他の構成要素には、図１等に示す第１の実施形態において対応する構成要素と同じ参照符号を付して説明を省略する。
【０１８５】
図１４に示すように、本発明の第２の実施形態の放送システム（放送用送受信システム）１０１は、送信部２０１と、受信部（放送用受信システム）３００と、受信部（放送用受信システム）４０１とを含む。なお、放送システム（放送用送受信システム）１０１は、例えば、送信部２０１と、受信部（放送用受信システム）３００または受信部（放送用受信システム）４０１とを含むように構成されていてもよい。
【０１８６】
送信部２０１、受信部３００および受信部４０１は、例えば、プログラム制御に従って処理を実行する、ＣＰＵ等の単数または複数の回路が搭載されたコンピュータによって実現されてもよい。具体的には、例えば、送信部２０１、受信部３００および受信部４０１に、以下に述べる各動作を実現させるためのソフトウェアが搭載される。そして、送信部２０１、受信部３００および受信部４０１は、当該ソフトウェアのプログラム制御に従って処理を実行することにより、以下に述べる各動作を実現するように構成されていてもよい。
【０１８７】
次に、送信部２０１の構成について、図面を参照して説明する。図１４に示すように、本発明の第２の実施形態における送信部２０１は、符号化部２１０、多重化部２２０、変調部（例えば、データ構成手段）２３１、第１の増幅部２４０、および第２の増幅部２５０を含む。
【０１８８】
なお、送信処理手段は、例えば、本発明の第２の実施形態における第１の増幅部２４０および第２の増幅部２５０に相当する。放送用送信システムは、例えば、図１４に示されている放送用送信システム２５１に相当する。放送用送信システム２５１は、例えば、本発明の第２の実施形態における変調部２３１、第１の増幅部２４０および第２の増幅部２５０を含む。なお、放送用送信システムは、例えば、本発明の第２の実施形態における符号化部２１０、多重化部２２０、変調部２３１、第１の増幅部２４０および第２の増幅部２５０を含むように構成されていてもよい。
【０１８９】
変調部２３１は、入力されたワンセグ用信号、２Ｋ用信号、および４Ｋ用信号に伝送路符号化処理を施して、第１のＯＦＤＭ信号および第２のＯＦＤＭ信号を生成する。
【０１９０】
変調部２３１は、第１の増幅部２４０に、生成した第１のＯＦＤＭ信号を入力する。また、変調部２３１は、第２の増幅部２５０に、生成した第２のＯＦＤＭ信号を入力する。
【０１９１】
次に、受信部４０１の構成について、図面を参照して説明する。図１４に示すように、本発明の第２の実施形態における受信部４０１は、第１の受信処理部（受信手段）４１０、第２の受信処理部４２０、復調部（等化手段）４３１、および復号部（再生処理手段）４４０を含む。
【０１９２】
復調部４３１は、入力された受信信号に、送信部２０１の変調部２３１がワンセグ用信号、２Ｋ用信号、および４Ｋ用信号に施した伝送路符号化処理に応じた復調処理を施して、ＴＳ信号を生成する。そして、復調部４３１は、生成したＴＳ信号を復号部４４０に入力する。なお、復調部４３１における復調処理については後述する復調部４３１における各部によって行われる。
【０１９３】
次に、変調部２３１が行う伝送路符号化処理について説明する。図１５〜１７は、本発明の第２の実施形態における変調部２３１の構成例を示すブロック図である。図１５〜１７に示すように、本発明の第２の実施形態における変調部２３１は、外符号処理部２６１−ａ、フレーム構成部２６１−ｂ、階層分割部２６２−ａ、外符号処理部２６２−ｂ、第１バイト−ビット変換部２６３−ａ〜ｃ、エネルギー拡散部２６４−ａ〜ｃ、遅延補正部２６５−ａ〜ｃ、ビット−バイト変換部２６６−ａ〜ｃ、バイトインターリーブ処理部２６７−ａ〜ｃ、第２バイト−ビット変換部２６８−ａ〜ｃ、畳込み符号化処理部２６９−ａ〜ｃ、ビットインターリーブ処理部２７０−ａ〜ｃ、マッピング処理部２７１−ａ〜ｃ、階層合成部２７２、時間インターリーブ処理部２７３、周波数インターリーブ処理部２７４、ＯＦＤＭフレーム構成部（例えば、データ構成手段）２８０、正規化部２７６−ａ，ｂ、ＩＦＦＴ処理部２７７−ａ，ｂ、ガードインターバル付加処理部２７８−ａ，ｂ、および直交変調処理部２７９−ａ，ｂを含む。なお、ＯＦＤＭフレーム構成部２８０以外の構成要素は、図２〜４等に示す第１の実施形態における構成と同様なため、当該構成要素には、図２〜４等に示す第１の実施形態において対応する構成要素と同じ参照符号を付して説明を省略する。
【０１９４】
ＯＦＤＭフレーム構成部２８０には、周波数インターリーブ処理部２７４によって周波数インターリーブの処理が施された信号と、パイロット信号と、ＴＭＣＣ信号と、ＡＣ信号とが入力される。
【０１９５】
そして、ＯＦＤＭフレーム構成部２８０は、入力された各信号に基づいてＯＦＤＭフレームを構成する。具体的には、ＯＦＤＭフレーム構成部２８０は、例えば、ＯＦＤＭの各キャリアにおける各シンボルに、各信号（ワンセグ用信号、２Ｋ用信号、４Ｋ用信号、パイロット信号、ＴＭＣＣ信号、およびＡＣ信号）の値を設定する。また、ＯＦＤＭフレーム構成部２８０は、ＯＦＤＭフレームの所定の箇所にヌルキャリアを挿入する。ヌルキャリアの挿入箇所の詳細については後述する。
【０１９６】
なお、ＯＦＤＭフレーム構成部２８０は、例えば、水平偏波用のＯＦＤＭフレームと、垂直偏波用のＯＦＤＭフレームとを構成する。具体的には、ＯＦＤＭフレーム構成部２８０は、例えば、ワンセグ用信号に応じたセグメントに対応する信号と、２Ｋ用信号に応じたセグメントに対応する信号と、４Ｋ用信号に応じた１０個のセグメントのうち５個のセグメントに対応する信号と、パイロット信号と、ＴＭＣＣ信号と、ＡＣ信号とに応じて、水平偏波用のＯＦＤＭフレームを構成する。また、ＯＦＤＭフレーム構成部２８０は、例えば、４Ｋ用信号に応じた１０個のセグメントのうち残りの５個のセグメントに対応する信号と、パイロット信号と、ＴＭＣＣ信号と、ＡＣ信号とに応じて、垂直偏波用のＯＦＤＭフレームを構成する。なお、各パイロット信号は、本例のようにＢ階層に偏波ＭＩＭＯによる放送波が送信されるように構成された場合であっても、Ｃ階層における放送波の適切な受信が可能なように設定された周波数領域における位置に挿入される。ＯＦＤＭフレーム構成部２８０によって構成されるＯＦＤＭフレームの詳細やパイロット信号、ＴＭＣＣ信号およびＡＣ信号の具体的な挿入位置については後述する。以下、ＯＦＤＭフレーム構成部２８０によって構成されるＯＦＤＭフレームをＯＦＤＭセグメント構成とも称する。
【０１９７】
また、ＯＦＤＭフレーム構成部２８０は、受信部３００に、Ｂ階層における信号が差動変調され、Ｃ階層における信号が同期変調されていることを示すＴＭＣＣ信号を送信するように、水平偏波用のＯＦＤＭフレームを構成するように構成されていてもよい。
【０１９８】
なお、ＴＭＣＣ情報によってＢ階層における信号が差動変調され、Ｃ階層における信号が同期変調されていることが示されている場合に、受信部３００は、周波数デインターリーブの処理を行う際に、Ｂ階層に応じたセグメントと、Ｃ階層に応じたセグメントとをそれぞれ別々に処理する。このように処理することによって、周波数デインターリーブの結果、Ｂ階層に応じたセグメントと、Ｃ階層に応じたセグメントとが混在してしまうことを防ぐことができる。
【０１９９】
そして、ＯＦＤＭフレーム構成部２８０は、例えば、水平偏波用のＯＦＤＭフレームを正規化部２７６−ａに入力する。また、ＯＦＤＭフレーム構成部２８０は、例えば、垂直偏波用のＯＦＤＭフレームを正規化部２７６−ｂに入力する。
【０２００】
次に、復調部４３１の構成について、図面を参照して説明する。図１８〜２１は、本発明の第２の実施形態における復調部４３１の構成を示すブロック図である。
【０２０１】
図１８〜２１に示すように、本発明の第２の実施形態における復調部４３１は、Ａ−Ｄ変換部５１１−ａ，ｂ、直交復調処理部５１２−ａ，ｂ、同期再生部５１３−ａ，ｂ、ＦＦＴ処理部５１４−ａ，ｂ、フレーム抽出部５１５−ａ，ｂ、ＴＭＣＣ信号復号部５１６−ａ，ｂ、ＡＣ信号復号部５１７−ａ，ｂ、キャリア復調部５３２、周波数デインターリーブ処理部５１９、時間デインターリーブ処理部５２０、第１の階層分割部５２１、デマッピング処理部５２２−ａ〜ｃ、ビットデインターリーブ処理部５２３−ａ〜ｃ、デパンクチャ処理部５２４−ａ〜ｃ、階層合成部５２５、内符号復号部５２６、第２の階層分割部５２７、バイトデインターリーブ処理部５２８−ａ〜ｃ、エネルギー逆拡散処理部５２９−ａ〜ｃ、ＴＳ再生処理部５３０、および外符号復号部５３１を含む。なお、キャリア復調部５３２以外の構成要素は、図６〜９等に示す第１の実施形態における構成と同様なため、当該構成要素には、図６〜９等に示す第１の実施形態において対応する構成要素と同じ参照符号を付して説明を省略する。
【０２０２】
キャリア復調部５３２には、ＦＦＴ処理部５１４−ａ，ｂが変換した周波数領域の信号がそれぞれ入力される。そこで、キャリア復調部５３２は、ＴＭＣＣ信号復号部５１６−ａ，ｂ（ＴＭＣＣ信号復号部５１６−ａとＴＭＣＣ信号復号部５１６−ｂとのうちいずれか一方であってもよい）が入力したＴＭＣＣ情報に基づいて、ＦＦＴ処理部５１４−ａ，ｂが入力した周波数領域の信号に、差動復調の処理、同期復調の処理、および等化処理等を施す。具体的には、キャリア復調部５３２には、ＦＦＴ処理部５１４−ａ，ｂが入力した周波数領域の信号におけるＯＦＤＭセグメントに基づいて、ＯＦＤＭ信号を構成する各キャリアを特定し、各キャリアの振幅を示す振幅情報、および各キャリアの位相を示す位相情報を生成する。そして、キャリア復調部５３２は、ＦＦＴ処理部５１４−ａ，ｂが変換した周波数領域の信号と、振幅情報と、位相情報とを周波数デインターリーブ処理部５１９に入力する。
【０２０３】
また、例えば、キャリア復調部５３２は、ＦＦＴ処理部５１４−ａ，ｂから入力された信号からパイロット信号を抽出し、当該パイロット信号に基づいて、伝送路特性を推定し、当該伝送路特性の推定結果を用いて、ＦＦＴ処理部５１４−ａ，ｂから入力された信号に等化処理を施す。
【０２０４】
本実施形態によれば、送信部２０１の変調部２３１が、入力された２Ｋ用信号および４Ｋ用信号に基づいて、互いの偏波面を異ならせて送信可能な２種類のＯＦＤＭ送信信号を生成する。そして、受信部４０１の復調部４３１が、送信部２００によって生成されて送信されたＯＦＤＭ送信信号に基づく受信信号を復調して、復号部４４０によって２Ｋ用信号および４Ｋ用信号に変換可能なＴＳパケットを生成する。
【０２０５】
したがって、現状の地上デジタルテレビジョン放送の送信に用いられている電磁波、および当該電磁波の偏波面と異なる偏波面の電磁波を用いて、受信側において、ワンセグ用信号に応じた映像、２Ｋ用信号に応じた映像、および４Ｋ用信号に応じた映像のうち少なくとも１つを再生可能にするように、データを伝送することができる。
【０２０６】
また、２Ｋ用信号に応じた電磁波の偏波面を現状の地上デジタルテレビジョン放送の送信に用いられている電磁波の偏波面と同じように設定した場合には、受信側で、現状の地上デジタルテレビジョン放送を受信および映像再生可能な状態を継続させつつ、新たに４Ｋ用信号に応じた映像を再生可能にすることができる。
【０２０７】
次に、ＯＦＤＭフレーム構成部２８０によって構成されるＯＦＤＭセグメント構成について、図面を参照して詳細に説明する。
【０２０８】
受信部３００は、ＡＣ信号およびＴＭＣＣ信号に基づいて測定されたＭＥＲを用いて受信品質を判定したり、判定した受信品質を表示したりする場合がある。また、受信部３００は、当該判定した受信品質に基づいて、テレビジョン受像機に２Ｋ用信号に基づく映像を再生させるか否かを判断する場合がある。
【０２０９】
具体的には、例えば、受信部３００の受信処理部（受信手段）には、アンテナ５０１，５０２を介して放射されてアンテナ６０１によって受信された電磁波が受信信号に変換されて入力される。
【０２１０】
次に、受信部３００の復調部（判定手段）は、例えば、ＡＣ信号およびＴＭＣＣ信号に基づいて、ＭＥＲを測定し、当該ＭＥＲを用いて受信品質を判定する。
【０２１１】
そして、受信部３００の復調部（判断手段）が受信品質が所定の閾値よりも低いと判断した場合には、受信部３００の復号部（再生処理手段）は、テレビジョン受像機に２Ｋ用信号に基づく映像を再生させない。また、例えば、受信部３００の復調部が受信品質が所定の閾値よりも高いと判断した場合には、受信部３００の復号部（再生処理手段）は、テレビジョン受像機に２Ｋ用信号に基づく映像を再生させる。
【０２１２】
ここで、受信部３００は、例えば、ＴＭＣＣ情報によって、Ｂ階層における信号が差動変調されていることが示されている場合に、水平偏波側の４Ｋ用ＯＦＤＭセグメント構成においても、現状の地上デジタルテレビジョン放送の伝送方式に従って、ＡＣ信号およびＴＭＣＣ信号が挿入されているという前提で受信品質を判定する。
【０２１３】
しかしながら、現状の地上デジタルテレビジョン放送の伝送方式とは異なる伝送方式に従って設定される水平偏波側の４Ｋ用ＯＦＤＭセグメント構成において、現状の地上デジタルテレビジョン放送の伝送方式に応じた箇所にはＡＣ信号またはＴＭＣＣ信号が挿入されていない場合がある。
【０２１４】
よって、受信部３００は、受信品質を正しく判定することができず、受信品質が所定の閾値よりも低いと誤って判断してしまうおそれがある。そして、受信部３００が受信品質を所定の閾値よりも低いと誤って判断してしまうと、２Ｋ用信号に基づく映像がテレビジョン受像機に再生されなくなってしまう可能性がある。
【０２１５】
そこで、本実施形態のＯＦＤＭフレーム構成部２８０は、現状の地上デジタルテレビジョン放送の伝送方式に従って、水平偏波側の４Ｋ用ＯＦＤＭセグメント構成においても、ＡＣ信号およびＴＭＣＣ信号を挿入するように構成されている。
【０２１６】
具体的には、例えば、ＯＦＤＭフレーム構成部２８０は、キャリア番号が３０の箇所にＡＣ信号を挿入し、キャリア番号が５１の箇所にＴＭＣＣ信号を挿入するように構成されている。
【０２１７】
図２２，２３は、ＯＦＤＭフレーム構成部２８０によって構成される４Ｋ用ＯＦＤＭセグメント構成の一例を示している。なお、図２２，２３に示されている４Ｋ用ＯＦＤＭセグメント構成は、セグメントＮｏ．５に関する。
【０２１８】
なお、図２２，２３において、ヌルキャリアが挿入されている箇所が「ｘ」で示されている。図２２，２３において、パイロット信号が挿入されている箇所が「１」で示されている。図２２，２３において、４Ｋ用信号が挿入されている箇所が「Ｄ」で示されている。図２２，２３において、差動セグメントのみにおいてＡＣ信号が挿入されている箇所が「ＡＣ２」で示されている。図２２，２３において、ＴＭＣＣ信号が挿入されている箇所が「ＴＭＣＣ」で示されている。なお、第１の画質再生用のデータは、例えば、水平偏波側の４Ｋ用ＯＦＤＭセグメント構成に含まれている４Ｋ用信号に応じたデータ、パイロット信号用データ、ＴＭＣＣ信号用データおよびＡＣ信号用データに相当する。
【０２１９】
なお、図２２，２３に示されている水平偏波側の４Ｋ用ＯＦＤＭセグメント構成において、シンボル番号が８〜１５のシンボルには、シンボル番号が０〜７のシンボルにおける信号配置と同様の信号配置がなされている。つまり、水平偏波側の４Ｋ用ＯＦＤＭセグメント構成において、シンボル番号が０〜７のシンボルにおける信号配置と同様の信号配置が繰り返しなされている。
【０２２０】
また、図２２，２３に示されている垂直偏波側の４Ｋ用ＯＦＤＭセグメント構成において、シンボル番号が８〜１５のシンボルには、シンボル番号が０〜７のシンボルにおける信号配置と同様の信号配置がなされている。つまり、垂直偏波側の４Ｋ用ＯＦＤＭセグメント構成において、シンボル番号が０〜７のシンボルにおける信号配置と同様の信号配置が繰り返しなされている。
【０２２１】
なお、図１２に示されているように、図２２，２３に示されている水平偏波側の４Ｋ用ＯＦＤＭセグメント構成に、２Ｋ用ＯＦＤＭセグメント構成が隣接するようにＯＦＤＭセグメントが構成されていてもよい。
【０２２２】
図２２，２３に示されているように、ＯＦＤＭフレーム構成部２８０は、本発明の第１の実施形態と同様に、４Ｋ用ＯＦＤＭセグメント構成に、所定の間隔でパイロット信号およびヌルキャリアを挿入する。
【０２２３】
また、図２２，２３に示されているように、ＯＦＤＭフレーム構成部２８０は、本発明の第１の実施形態と同様に、水平偏波側の４Ｋ用ＯＦＤＭセグメント構成における先頭のキャリア（つまり、キャリア番号が０のキャリア）に、パイロット信号を挿入し、垂直偏波側の４Ｋ用ＯＦＤＭセグメント構成における先頭のキャリア（つまり、キャリア番号が０のキャリア）に、ヌルキャリアを挿入する。なお、最も低い周波数のキャリアは、例えば、図２２，２３に示されている水平偏波側の４Ｋ用ＯＦＤＭセグメント構成におけるキャリア番号が０のキャリアに相当する。
【０２２４】
さらに、ＯＦＤＭフレーム構成部２８０は、４Ｋ用ＯＦＤＭセグメント構成における所定の箇所に、ＡＣ信号およびＴＭＣＣ信号を挿入する。
【０２２５】
具体的には、例えば、図２２，２３に示されているように、ＯＦＤＭフレーム構成部２８０は、水平偏波側の４Ｋ用ＯＦＤＭセグメント構成において、キャリア番号が１０および３０の箇所にＡＣ信号を挿入する。
【０２２６】
また、具体的には、例えば、図２２，２３に示されているように、ＯＦＤＭフレーム構成部２８０は、垂直偏波側の４Ｋ用ＯＦＤＭセグメント構成において、キャリア番号が１０，３０の箇所にヌルキャリアを挿入する。
【０２２７】
さらに、例えば、図２２，２３に示されているように、ＯＦＤＭフレーム構成部２８０は、水平偏波側の４Ｋ用ＯＦＤＭセグメント構成において、キャリア番号が２３，３７，５１の箇所にＴＭＣＣ信号を挿入する。
【０２２８】
また、具体的には、例えば、図２２，２３に示されているように、ＯＦＤＭフレーム構成部２８０は、垂直偏波側の４Ｋ用ＯＦＤＭセグメント構成において、キャリア番号が２３，３７，５１の箇所にヌルキャリアを挿入する。
【０２２９】
このように構成することによって、水平偏波用のアンテナから送信される信号と垂直偏波用のアンテナから送信される信号とが互いに干渉してしまう可能性を低減することができる。
【０２３０】
上述した４Ｋ用ＯＦＤＭセグメント構成によれば、受信部３００は、水平偏波側の４Ｋ用ＯＦＤＭセグメント構成に挿入されているＡＣ信号およびＴＭＣＣ信号を用いて、受信品質を判定することができる。つまり、受信部３００が受信品質が所定の閾値よりも低いと誤って判断してしまう可能性を抑制することができる。その結果として、受信部３００は、現状の地上デジタルテレビジョン放送の伝送方式に基づいて、入力された受信信号に応じた映像をテレビジョン受像機（第２の画質再生用のデータに応じた映像を再生可能なテレビジョン受像機）に再生させることができる。
【０２３１】
なお、水平偏波側の４Ｋ用ＯＦＤＭセグメント構成について、例えば、キャリア番号が３０の箇所には、第１の実施形態のＯＦＤＭセグメント構成ではパイロット信号が挿入されていたが、本実施形態のＯＦＤＭセグメント構成では、受信部３００が受信品質を判定するために、パイロット信号の代わりにＡＣ信号が挿入されている。
【０２３２】
ここで、受信部４０１は、ＡＣ信号またはＴＭＣＣ信号が挿入される箇所とパイロット信号が挿入される箇所とが重複した場合に、当該箇所にパイロット信号が挿入されていなくても、受信信号に等化処理を適切に施せるように構成されていることが好ましい。
【０２３３】
次に、受信部４０１のキャリア復調部５３２による等化処理の一例について、図面を参照して説明する。
【０２３４】
図２４，２５は、ＯＦＤＭフレーム構成部２８０によって構成される水平偏波側の４Ｋ用ＯＦＤＭセグメント構成の一例を示している。なお、図２４，２５に示されているＯＦＤＭセグメント構成は、セグメントＮｏ．５に関する。
【０２３５】
図２４，２５に示されているように、キャリア番号が３０で、シンボル番号が２の箇所には、第１の実施形態で説明したパイロット信号の配置に従うと、パイロット信号が挿入されるが、本実施形態では、受信部３００が受信品質を判定するために、当該箇所には、ＡＣ信号が挿入されている。
【０２３６】
また、図２４，２５に示されているように、キャリア番号が５１で、シンボル番号が５の箇所には、第１の実施形態で説明したパイロット信号の配置に従うと、パイロット信号が挿入されるが、本実施形態では、受信部３００が受信品質を判定するために、当該箇所には、ＴＭＣＣ信号が挿入されている。
【０２３７】
なお、図２４，２５に示されている水平偏波側の４Ｋ用ＯＦＤＭセグメント構成において、シンボル番号が８〜１５のシンボルには、シンボル番号が０〜７のシンボルにおける信号配置と同様の信号配置がなされている。つまり、水平偏波側の４Ｋ用ＯＦＤＭセグメント構成において、シンボル番号が０〜７のシンボルにおける信号配置と同様の信号配置が繰り返しなされている。
【０２３８】
キャリア復調部５３２は、図２４，２５に示されているように、例えば、水平偏波側の４Ｋ用ＯＦＤＭセグメント構成におけるシンボル番号が０〜７のシンボルに挿入されている各パイロット信号に基づいて、各キャリアにおける伝送路特性の推定を行い、図２４，２５に示されているようなシンボル列を作成する。
【０２３９】
具体的には、例えば、図２４，２５のシンボル列において、各キャリアに挿入されているパイロット信号に基づいて算出された位相情報（例えば、挿入されている各パイロット信号と、既知のパイロット信号との位相差に応じた値）が「１」で示されている。
【０２４０】
図２４，２５に示されているシンボル列において、例えば、０番目のキャリアに対応する「１」は、０番目のキャリアにおけるパイロット信号と、既知のパイロット信号とに基づいて算出された位相差に応じた値を示している。つまり、図２４，２５に示されているシンボル列は、各キャリアにおける所定のシンボルに挿入されているパイロット信号に基づいて算出された位相情報を含む。
【０２４１】
なお、キャリア復調部５３２は、キャリア番号が０で、シンボル番号が０〜７の箇所に挿入されているパイロット信号に基づいてそれぞれ算出された位相差に応じた値の平均値を、図２４，２５に示されているシンボル列において、０番目のキャリアに対応する「１」における位相差に応じた値とするように構成されていてもよい。
【０２４２】
また、キャリア復調部５３２は、キャリア番号が０で、シンボル番号が７の箇所に挿入されているパイロット信号に基づいて算出された位相差に応じた値を、図２４に示されているシンボル列において、０番目のキャリアに対応する「１」における位相差に応じた値とするように構成されていてもよい。
【０２４３】
また、図２４，２５に示されているシンボル列において、当該シンボル列に含まれている「１」で示されている位相情報に基づいて、伝送路特性の推定が行われる箇所が「０」で示されている。具体的には、例えば、図２４に示されているシンボル列において、１番目のキャリアおよび２番目のキャリアに対応する「０」における伝送路特性は、当該シンボル列における０番目のキャリアおよび３番目のキャリアに対応する「１」における位相情報に基づいて、推定される。
【０２４４】
また、キャリア復調部５３２は、例えば、ＡＣ信号またはＴＭＣＣ信号が挿入されている箇所と、パイロット信号が挿入されている箇所とが重なったキャリアにおける位相情報を、前後のパイロット信号に基づいて算出する。
【０２４５】
ここで、図２４，２５のシンボル列において、ＡＣ信号またはＴＭＣＣ信号が挿入される箇所と、パイロット信号が挿入される箇所とが重なったキャリアが「Ｃ」で示されている。
【０２４６】
具体的には、例えば、図２４，２５に示されているシンボル列において、キャリア復調部５３２は、キャリア番号が２７の箇所に挿入されているパイロット信号に基づいて算出された位相差に応じた値と、キャリア番号が３３の箇所に挿入されているパイロット信号に基づいて算出された位相差に応じた値との平均値を、キャリア番号が３０のキャリアにおける位相差に応じた値とするように構成されていてもよい。
【０２４７】
また、具体的には、例えば、図２４，２５に示されているシンボル列において、キャリア復調部５３２は、キャリア番号が４８の箇所に挿入されているパイロット信号に基づいて算出された位相差に応じた値と、キャリア番号が５４の箇所に挿入されているパイロット信号に基づいて算出された位相差に応じた値との平均値を、キャリア番号が５１のキャリアにおける位相差に応じた値とするように構成されていてもよい。
【０２４８】
そして、キャリア復調部５３２は、作成したシンボル列を用いて、キャリア方向における伝送路特性の推定を行う。具体的には、例えば、キャリア復調部５３２は、図２４，２５に示されているシンボル列における「１」に対応する位相差に応じた値と当該シンボル列における「Ｃ」に対応する位相差に応じた値とを用いて、当該シンボル列における「０」に対応するキャリアにおける伝送路特性を推定する。
【０２４９】
そして、キャリア復調部５３２は、当該伝送路特性の推定結果を用いて、ＦＦＴ処理部５１４−ａから入力された信号に等化処理を施す。
【０２５０】
具体的には、例えば、キャリア復調部５３２は、作成したシンボル列に基づいて、ＦＩＲ（Ｆｉｎｉｔｅ  Ｉｍｐｕｌｓｅ  Ｒｅｓｐｏｎｓｅ）フィルタを用いて、平滑化したデータを作成し、当該平滑化したデータを伝送路特性の推定に使用し、ＦＦＴ処理部５１４−ａから入力された信号に等化処理を施す。
【０２５１】
なお、等化処理では、具体的には、例えば、ＦＦＴ処理部５１４−ａから入力された信号に応じた値に、推定した伝送路特性の逆特性に応じた値が乗算されることによって、当該信号の振幅および位相の歪みが補正される。
【０２５２】
また、キャリア復調部５３２は、ＦＦＴ処理部５１４−ａから入力された信号に行った等化処理と同様の処理方法を用いて、ＦＦＴ処理部５１４−ｂから入力された信号に等化処理を施すように構成されている。
【０２５３】
次に、本発明の第２の実施形態の送信部２０１の動作について説明する。図２６は、本発明の第２の実施形態における変調部２３１の動作を示すフローチャートである。
【０２５４】
まず、変調部２３１には、ワンセグ用信号、２Ｋ用信号、および４Ｋ用信号が入力される（ステップＳ２０１）。
【０２５５】
変調部２３１の各部が、入力されたワンセグ用信号、２Ｋ用信号、および４Ｋ用信号を合成して、伝送路符号化処理を施す（ステップＳ２０２）。具体的には、例えば、ＯＦＤＭフレーム構成部２８０は、図２２，２３で示したようなＯＦＤＭフレームを構成する。
【０２５６】
変調部２３１は、水平偏波用のアンテナ５０１によって送信される電磁波用の第１のＯＦＤＭ信号、および垂直偏波用のアンテナ５０２によって送信される電磁波用の第２のＯＦＤＭ信号を生成する（ステップＳ２０３）。
【０２５７】
変調部２３１は、第１の増幅部２４０に、生成した第１のＯＦＤＭ信号を入力する。また、変調部２３１は、第２の増幅部２５０に、生成した第２のＯＦＤＭ信号を入力する。第１の増幅部２４０は、変調部２３１が入力した第１のＯＦＤＭ信号を所定の増幅率で増幅する（ステップＳ２０４）。そして、第１の増幅部２４０は、増幅後の第１のＯＦＤＭ信号をアンテナ５０１に入力する。第１の増幅部２４０によって増幅された第１のＯＦＤＭ信号は、アンテナ５０１によって電磁波に変換されて水平偏波で放射される。
【０２５８】
第２の増幅部２５０は、変調部２３１が入力した第２のＯＦＤＭ信号を予め決められた増幅率で増幅する（ステップＳ２０４）。そして、第２の増幅部２５０は、増幅後の第２のＯＦＤＭ信号をアンテナ５０２に入力する。第２の増幅部２５０によって増幅された第２のＯＦＤＭ信号は、アンテナ５０２によって電磁波に変換されて垂直偏波で放射される。
【０２５９】
次に、本発明の第２の実施形態の受信部４０１の動作について説明する。図２７は、本発明の第２の実施形態における受信部４０１の動作を示すフローチャートである。
【０２６０】
図２７に示すように、キャリア復調部５３２には、ＦＦＴ処理部５１４−ａ，ｂから信号が入力される（ステップＳ３０１）。
【０２６１】
キャリア復調部５３２は、ＦＦＴ処理部５１４−ａ，ｂから入力された信号からパイロット信号を抽出し、当該パイロット信号に基づいて、伝送路特性を推定する（ステップＳ３０２）。
【０２６２】
キャリア復調部５３２は、伝送路特性の推定結果を用いて、ＦＦＴ処理部５１４−ａ，ｂから入力された信号に等化処理を施す（ステップＳ３０３）。等化処理が施された信号に復調部４３１の各部において上述した処理が施されることによって、ＴＳ信号が生成される。そして、生成されたＴＳ信号は、復号部４４０に入力される。
【０２６３】
復号部４４０は、復調部４３１から入力されたＴＳ信号に、所定の復号処理を施して、映像信号を生成可能な機能を有する（ステップＳ３０４）。例えば、復号部４４０は、入力されたＴＳ信号にＨ．２６５に基づく復号処理を施して、４Ｋ用信号に基づく映像信号を生成可能であるとする。すると、復号部４４０は、生成した映像信号を出力可能である。そして、出力された映像信号は、テレビジョン受像機等の映像表示装置に入力されて、４Ｋ用信号に基づく映像が再生される。
【０２６４】
本実施形態によれば、受信部３００は、現状の地上デジタルテレビジョン放送の伝送方式に基づいて、受信品質の判定を適切に行うことができる。つまり、現状の地上デジタルテレビジョン放送の伝送方式に従ったキャリアにＡＣ信号およびＴＭＣＣ信号が挿入されているので、受信部３００は、当該ＡＣ信号およびＴＭＣＣ信号を用いて受信品質の判定を適切に行うことができる。したがって、受信部３００は、現状の地上デジタルテレビジョン放送の伝送方式に基づいて、入力された受信信号に応じた映像をテレビジョン受像機に再生させることができる。よって、新地上波放送と、現状の地上デジタルテレビジョン放送とが共存した場合でも、現状の地上デジタルテレビジョン放送の伝送方式に基づいて入力された受信信号に応じた映像を再生可能なテレビジョン受像機は、当該映像を適切に再生できる。
【０２６５】
また、本実施形態によれば、受信部４０１は、ＡＣ信号またはＴＭＣＣ信号が挿入される箇所と、パイロット信号が挿入される箇所とが重複するキャリアにおける位相差に応じた値を、前後のパイロット信号に基づいて算出する。このように構成することで、受信部４０１は、受信信号に等化処理を適切に施すことができる。このため、受信部４０１は、現状の地上デジタルテレビジョン放送を受信および映像再生可能な状態を継続させつつ、新たに４Ｋ用信号に応じた映像を再生可能にすることができる。したがって、新地上波放送と、現状の地上デジタルテレビジョン放送とが共存した場合でも、新地上波放送の伝送方式に基づいて入力された受信信号に応じた映像を再生可能なテレビジョン受像機（第１の画質再生用のデータに応じた映像を再生可能なテレビジョン受像機）は、当該映像を適切に再生できる。
【０２６６】
なお、図２２に示されているＯＦＤＭセグメント構成では、本発明の第１の実施形態と同様に、先頭のキャリアにパイロット信号およびヌルキャリアが挿入されていたが、当該パイロット信号および当該ヌルキャリアが挿入されないように、ＯＦＤＭフレームが構成されていてもよい。
【０２６７】
また、本実施形態では、キャリア復調部５３２は、シンボル番号が０〜７のシンボルにおけるパイロット信号に基づいて（つまり、８シンボル分のパイロット信号に基づいて）、シンボル列を作成したが、シンボル列を作成する際に用いるシンボルの数は８個に限られない。
【０２６８】
図２８，２９は、ＯＦＤＭフレーム構成部２８０によって構成される水平偏波側の４Ｋ用ＯＦＤＭセグメント構成の一例を示している。なお、図２８，２９に示されているＯＦＤＭセグメント構成は、セグメントＮｏ．５に関する。
【０２６９】
図２８，２９に示されている水平偏波側の４Ｋ用ＯＦＤＭセグメント構成において、パイロット信号およびヌルキャリアは、キャリア方向において、４８キャリアに１回挿入され、シンボル方向において、６シンボルに１回挿入されている。すなわち、４８キャリア毎にパイロット信号およびヌルキャリアが挿入され、６シンボル毎にパイロット信号およびヌルキャリアが挿入されている。
【０２７０】
図２８，２９に示されているＯＦＤＭセグメント構成の場合に、キャリア復調部５３２は、シンボル番号が０〜５のシンボルにおけるパイロット信号に基づいて（つまり、６シンボル分のパイロット信号に基づいて）、シンボル列を作成するように構成されていてもよい。
【０２７１】
つまり、パイロット信号の挿入間隔に応じて、キャリア復調部５３２がシンボル列を作成する際に用いるシンボル数が決定されるように構成されていてもよい。
【０２７２】
また、本実施形態では、キャリア復調部５３２は、ＡＣ信号またはＴＭＣＣ信号が挿入されている箇所と、パイロット信号が挿入されている箇所とが重複するキャリアにおける位相差に応じた値を、前後のパイロット信号に基づいて算出したが、前後３つのパイロット信号に基づいて、当該重なったキャリアにおける位相差に応じた値を算出するように構成されていてもよい。
【０２７３】
具体的には、例えば、図２４，２５に示されているシンボル列において、キャリア復調部５３２は、キャリア番号が２１，２４，２７の箇所に挿入されているパイロット信号に基づいて算出されたそれぞれの位相差に応じた値と、キャリア番号が３３，３６，３９の箇所に挿入されているパイロット信号に基づいて算出されたそれぞれの位相差に応じた値との平均値を、キャリア番号が３０のキャリアにおける位相差に応じた値とするように構成されていてもよい。
【０２７４】
なお、データ構成手段は、図１５〜１７に示されている変調部２３１の各部をすべて備えるように構成されていてもよいし、変調部２３１の各部のうち、一部を備えるように構成されていてもよい。データ構成手段は、例えば、変調部２３１のＯＦＤＭフレーム構成部２８０を備えるように構成されていてもよい。
【０２７５】
実施形態３．
本発明の第３の実施形態の放送用送信システムについて、図面を参照して説明する。図３０は、本発明の第３の実施形態の放送用送信システム２０の構成例を示すブロック図である。図３０に示すように、本発明の第３の実施形態の放送用送信システム２０は、データ構成部２１と、送信処理部２２とを含む。放送用送信システム２０は、例えば、本発明の第２の実施形態における送信部２０１に相当する。また、放送用送信システム２０は、例えば、本発明の第２の実施形態における放送用送信システム２５１に相当する。データ構成部２１は、例えば、本発明の第２の実施形態における変調部２３１に相当する。送信処理部２２は、例えば、本発明の第２の実施形態における第１の増幅部２４０および第２の増幅部２５０に相当する。
【０２７６】
データ構成部２１は、第１の画質再生用のデータと第２の画質再生用のデータとに基づいて、一方の偏波アンテナ送信用のデータと他方の偏波アンテナ送信用のデータとを生成する。
【０２７７】
第１の画質再生用のデータは、例えば、第２の実施形態における、水平偏波側の４Ｋ用ＯＦＤＭセグメント構成に含まれている４Ｋ用信号に応じたデータ、パイロット信号用データ、ＴＭＣＣ信号用データおよびＡＣ信号用データに相当する。第２の画質再生用のデータは、例えば、第１の実施形態における、水平偏波側の２Ｋ用ＯＦＤＭセグメント構成に含まれている２Ｋ用信号に応じたデータ、パイロット信号用データ、ＴＭＣＣ信号用データおよびＡＣ信号用データに相当する。一方の偏波アンテナ送信用のデータは、例えば、第２の実施形態における、水平偏波側の２Ｋ用ＯＦＤＭセグメント構成および４Ｋ用ＯＦＤＭセグメント構成に含まれている２Ｋ用信号に応じたデータ、４Ｋ用信号に応じたデータ、パイロット信号用データ、ＴＭＣＣ信号用データおよびＡＣ信号用データに相当する。他方の偏波アンテナ送信用のデータは、例えば、第２の実施形態における、垂直偏波側の４Ｋ用ＯＦＤＭセグメント構成に含まれている４Ｋ用信号に応じたデータ、パイロット信号用データ、ＴＭＣＣ信号用データおよびＡＣ信号用データに相当する。
【０２７８】
また、データ構成部２１は、当該一方の偏波アンテナ送信用のデータのうちの当該第１の画質再生用のデータにおいて、ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号が配置されるように、当該一方の偏波アンテナ送信用のデータを生成する。
【０２７９】
また、データ構成部２１は、当該他方の偏波アンテナ送信用のデータにおいて、当該ＡＣ信号または当該ＴＭＣＣ信号が配置された箇所に応じた箇所にはヌルキャリアが配置されるように、当該他方の偏波アンテナ送信用のデータを生成する。
【０２８０】
送信処理部２２は、当該一方の偏波アンテナ送信用のデータに応じた信号と、当該他方の偏波アンテナ送信用のデータに応じた信号とを送信するための処理を行う。
【０２８１】
本実施形態によれば、データ構成部２１は、第１の画質再生用のデータと第２の画質再生用のデータとに基づいて、一方の偏波アンテナ送信用のデータと他方の偏波アンテナ送信用のデータとを生成する。
【０２８２】
また、データ構成部２１は、当該一方の偏波アンテナ送信用のデータのうちの当該第１の画質再生用のデータにおいて、ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号が配置されるように、当該一方の偏波アンテナ送信用のデータを生成する。
【０２８３】
また、データ構成部２１は、当該他方の偏波アンテナ送信用のデータにおいて、当該ＡＣ信号または当該ＴＭＣＣ信号が配置された箇所に応じた箇所にはヌルキャリアが配置されるように、当該他方の偏波アンテナ送信用のデータを生成する。
【０２８４】
送信処理部２２は、当該一方の偏波アンテナ送信用のデータに応じた信号と、当該他方の偏波アンテナ送信用のデータに応じた信号とを送信するための処理を行う。
【０２８５】
したがって、新地上波放送と、現状の地上デジタルテレビジョン放送とが共存した場合でも、現状の地上デジタルテレビジョン放送の伝送方式に基づいて入力された受信信号に応じた映像を再生可能なテレビジョン受像機または新地上波放送の伝送方式に基づいて入力された受信信号に応じた映像を再生可能なテレビジョン受像機が映像を適切に再生できる。
【０２８６】
実施形態４．
本発明の第４の実施形態の放送用受信システムについて、図面を参照して説明する。図３１は、本発明の第４の実施形態の放送用受信システム３０の構成例を示すブロック図である。図３１に示すように、本発明の第４の実施形態の放送用受信システム３０は、受信部３１と、判定部３２と、判断部３３と、再生処理部３４とを含む。
【０２８７】
放送用受信システム３０は、例えば、本発明の第２の実施形態における受信部３００に相当する。受信部３１は、例えば、本発明の第２の実施形態における受信部３００の受信処理部に相当する。判定部３２は、例えば、本発明の第２の実施形態における受信部３００の復調部に相当する。判断部３３は、例えば、本発明の第２の実施形態における受信部３００の復調部に相当する。再生処理部３４は、例えば、本発明の第２の実施形態における受信部３００の復号部に相当する。
【０２８８】
受信部３１は、ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号が配置されている第１の画質再生用のデータと、第２の画質再生用のデータとに応じた信号を受信する。
【０２８９】
判定部３２は、当該ＡＣ信号または当該ＴＭＣＣ信号を用いて、受信品質を判定する。
【０２９０】
判断部３３は、当該受信品質に基づいて、当該第２の画質再生用のデータに応じた映像を再生可能なテレビジョン受像機に、当該第２の画質再生用のデータに応じた映像を再生させるか否かを判断する。
【０２９１】
再生処理部３４は、判断部３３が当該第２の画質再生用のデータに応じた映像を再生させると判断した場合に、当該テレビジョン受像機に、当該第２の画質再生用のデータに応じた映像を再生させる。
【０２９２】
本実施形態によれば、受信部３１は、ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号が配置されている第１の画質再生用のデータと、第２の画質再生用のデータとに応じた信号を受信する。判定部３２は、当該ＡＣ信号または当該ＴＭＣＣ信号を用いて、受信品質を判定する。判断部３３は、当該受信品質に基づいて、当該第２の画質再生用のデータに応じた映像を再生可能なテレビジョン受像機に、当該第２の画質再生用のデータに応じた映像を再生させるか否かを判断する。再生処理部３４は、判断部３３が当該第２の画質再生用のデータに応じた映像を再生させると判断した場合に、当該テレビジョン受像機に、当該第２の画質再生用のデータに応じた映像を再生させる。
【０２９３】
したがって、新地上波放送と、現状の地上デジタルテレビジョン放送とが共存した場合でも、現状の地上デジタルテレビジョン放送の伝送方式に基づいて入力された受信信号に応じた映像を再生可能なテレビジョン受像機または新地上波放送の伝送方式に基づいて入力された受信信号に応じた映像を再生可能なテレビジョン受像機が映像を適切に再生できる。
【０２９４】
実施形態５．
本発明の第５の実施形態の放送用受信システムについて、図面を参照して説明する。図３２は、本発明の第５の実施形態の放送用受信システム４０の構成例を示すブロック図である。図３２に示すように、本発明の第５の実施形態の放送用受信システム４０は、受信部４１と、等化部４２と、再生処理部４３とを含む。
【０２９５】
放送用受信システム４０は、例えば、本発明の第２の実施形態における受信部４０１に相当する。受信部４１は、例えば、本発明の第２の実施形態における受信部４０１の第１の受信処理部４１０に相当する。等化部４２は、例えば、本発明の第２の実施形態における受信部４０１の復調部４３１に相当する。再生処理部４３は、例えば、本発明の第２の実施形態における受信部４０１の復号部４４０に相当する。
【０２９６】
受信部４１は、ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号と、パイロット信号とがそれぞれ複数配置されている第１の画質再生用のデータに応じた信号を受信する。
【０２９７】
等化部４２は、所定の位置に配置されている当該パイロット信号に基づいて、当該第１の画質再生用のデータに応じた信号に等化処理を施す。また、等化部４２は、当該所定の位置にパイロット信号が配置されていない場合に、他の位置に配置されているパイロット信号に基づいて、等化処理を施す。
【０２９８】
再生処理部４３は、等化処理された当該第１の画質再生用のデータに応じた信号に基づいて、当該第１の画質再生用のデータに応じた映像を再生可能なテレビジョン受像機に、当該第１の画質再生用のデータに応じた映像を再生させる。
【０２９９】
本実施形態によれば、受信部４１は、ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号と、パイロット信号とがそれぞれ複数配置されている第１の画質再生用のデータに応じた信号を受信する。等化部４２は、所定の位置に配置されている当該パイロット信号に基づいて、当該第１の画質再生用のデータに応じた信号に等化処理を施す。また、等化部４２は、当該所定の位置にパイロット信号が配置されていない場合に、他の位置に配置されているパイロット信号に基づいて、等化処理を施す。再生処理部４３は、等化処理された当該第１の画質再生用のデータに応じた信号に基づいて、当該第１の画質再生用のデータに応じた映像を再生可能なテレビジョン受像機に、当該第１の画質再生用のデータに応じた映像を再生させる。
【０３００】
したがって、新地上波放送と、現状の地上デジタルテレビジョン放送とが共存した場合でも、現状の地上デジタルテレビジョン放送の伝送方式に基づいて入力された受信信号に応じた映像を再生可能なテレビジョン受像機または新地上波放送の伝送方式に基づいて入力された受信信号に応じた映像を再生可能なテレビジョン受像機が映像を適切に再生できる。
【０３０１】
以上、実施形態を参照して本発明を説明したが、本発明は上記実施形態に限定されるものではない。本発明の構成や詳細には、本発明のスコープ内で当業者が理解し得る様々な変更をすることができる。
【０３０２】
また、本発明は、各実施形態の変形・置換・調整に基づいて実施できる。また、本発明は、各実施形態を任意に組合せて実施することもできる。すなわち、本発明は、本明細書の全ての開示内容、技術的思想に従って実現できる各種変形、修正を含む。なお、各図面に付記した図面参照符号は、理解を助けるための一例として各要素に便宜上付記したものであり、本発明を図示の態様に限定することを意図するものではない。
【０３０３】
上記の実施形態の一部又は全部は、以下の付記のようにも記載されうるが、以下には限られない。
（付記１）
第１の画質再生用のデータと第２の画質再生用のデータとに基づいて、一方の偏波アンテナ送信用のデータと他方の偏波アンテナ送信用のデータとを生成するデータ構成手段と、
前記一方の偏波アンテナ送信用のデータに応じた信号と、前記他方の偏波アンテナ送信用のデータに応じた信号とを送信するための処理を行う送信処理手段と
を備え、
前記データ構成手段は、前記一方の偏波アンテナ送信用のデータのうちの前記第１の画質再生用のデータにおいて、ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号が配置されるように、前記一方の偏波アンテナ送信用のデータを生成し、
前記データ構成手段は、前記他方の偏波アンテナ送信用のデータにおいて、前記ＡＣ信号または前記ＴＭＣＣ信号が配置された箇所に応じた箇所にはヌルキャリアが配置されるように、前記他方の偏波アンテナ送信用のデータを生成する
ことを特徴とする放送用送信システム。
（付記２）
前記データ構成手段は、前記一方の偏波アンテナ送信用のデータのうちの前記第１の画質再生用のデータにおいて、所定の間隔でパイロット信号またはヌルキャリアが配置されるように、前記一方の偏波アンテナ送信用のデータを生成する
ことを特徴とする付記１に記載の放送用送信システム。
（付記３）
前記データ構成手段は、前記一方の偏波アンテナ送信用のデータのうちの前記第１の画質再生用のデータにおいて、パイロット信号が配置されるべき所定の位置と、前記ＡＣ信号または前記ＴＭＣＣ信号が配置されるべき所定の位置とが重複する場合に、前記位置には、前記ＡＣ信号または前記ＴＭＣＣ信号を配置する
ことを特徴とする付記２に記載の放送用送信システム。
（付記４）
前記データ構成手段は、前記所定の間隔でヌルキャリアまたはパイロット信号が配置されるように、前記他方の偏波アンテナ送信用のデータを生成し、
前記データ構成手段は、前記一方の偏波アンテナ送信用のデータにおいて、前記他方の偏波アンテナ送信用のデータでパイロット信号が前記所定の間隔で配置された箇所に応じた箇所には、ヌルキャリアを配置し、前記他方の偏波アンテナ送信用のデータでヌルキャリアが前記所定の間隔で配置された箇所に応じた箇所には、パイロット信号を配置するように、前記一方の偏波アンテナ送信用のデータを生成する
ことを特徴とする付記２または３に記載の放送用送信システム。
（付記５）
前記データ構成手段は、前記一方の偏波アンテナ送信用のデータのうちの前記第１の画質再生用のデータにおける最も低い周波数のキャリアで送信されるデータにおいて、前記所定の間隔に基づくヌルキャリアに代えてパイロット信号が配置されるように、前記一方の偏波アンテナ送信用のデータを生成する
ことを特徴とする付記２〜４のいずれか１項に記載の放送用送信システム。
（付記６）
前記データ構成手段は、前記最も低い周波数のキャリアで送信されるデータにおいて、すべてのシンボルにわたって前記パイロット信号が配置されるように、前記一方の偏波アンテナ送信用のデータを生成する
ことを特徴とする付記５に記載の放送用送信システム。
（付記７）
前記データ構成手段は、前記一方の偏波アンテナ送信用のデータのうちの前記第２の画質再生用のデータにおいて、他の所定の間隔でパイロット信号が配置されるように、前記一方の偏波アンテナ送信用のデータを生成する
ことを特徴とする付記１〜６のいずれか１項に記載の放送用送信システム。
（付記８）
ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号が配置されている第１の画質再生用のデータと、第２の画質再生用のデータとに応じた信号を受信する受信手段と、
前記ＡＣ信号または前記ＴＭＣＣ信号を用いて、受信品質を判定する判定手段と、
前記受信品質に基づいて、前記第２の画質再生用のデータに応じた映像を再生可能なテレビジョン受像機に、前記第２の画質再生用のデータに応じた映像を再生させるか否かを判断する判断手段と、
前記判断手段が前記第２の画質再生用のデータに応じた映像を再生させると判断した場合に、前記テレビジョン受像機に、前記第２の画質再生用のデータに応じた映像を再生させる再生処理手段とを備えた
ことを特徴とする放送用受信システム。
（付記９）
ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号と、パイロット信号とがそれぞれ複数配置されている第１の画質再生用のデータに応じた信号を受信する受信手段と、
所定の位置に配置されている前記パイロット信号に基づいて、前記第１の画質再生用のデータに応じた信号に等化処理を施す等化手段と、
等化処理された前記第１の画質再生用のデータに応じた信号に基づいて、前記第１の画質再生用のデータに応じた映像を再生可能なテレビジョン受像機に、前記第１の画質再生用のデータに応じた映像を再生させる再生処理手段とを備え、
前記等化手段は、前記所定の位置にパイロット信号が配置されていない場合に、他の位置に配置されているパイロット信号に基づいて、等化処理を施す
ことを特徴とする放送用受信システム。
（付記１０）
付記１〜７のいずれか１項に記載の放送用送信システムと、
付記８または９に記載の放送用受信システムとを備えた
ことを特徴とする放送用送受信システム。
（付記１１）
第１の画質再生用のデータと第２の画質再生用のデータとに基づいて、一方の偏波アンテナ送信用のデータと他方の偏波アンテナ送信用のデータとを生成し、
前記一方の偏波アンテナ送信用のデータに応じた信号と、前記他方の偏波アンテナ送信用のデータに応じた信号とを送信するための処理を行い、
前記一方の偏波アンテナ送信用のデータを生成するときに、前記一方の偏波アンテナ送信用のデータのうちの前記第１の画質再生用のデータにおいて、ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号が配置されるように、前記一方の偏波アンテナ送信用のデータを生成し、
前記他方の偏波アンテナ送信用のデータを生成するときに、前記他方の偏波アンテナ送信用のデータにおいて、前記ＡＣ信号または前記ＴＭＣＣ信号が配置された箇所に応じた箇所にはヌルキャリアが配置されるように、前記他方の偏波アンテナ送信用のデータを生成する
ことを特徴とする放送用送信方法。
（付記１２）
コンピュータに、
第１の画質再生用のデータと第２の画質再生用のデータとに基づいて、一方の偏波アンテナ送信用のデータと他方の偏波アンテナ送信用のデータとを生成するデータ構成処理と、
前記一方の偏波アンテナ送信用のデータに応じた信号と、前記他方の偏波アンテナ送信用のデータに応じた信号とを送信するための処理を行う送信処理と
を実行させ、
前記データ構成処理では、前記一方の偏波アンテナ送信用のデータのうちの前記第１の画質再生用のデータにおいて、ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号が配置されるように、前記一方の偏波アンテナ送信用のデータを生成させ、
前記データ構成処理では、前記他方の偏波アンテナ送信用のデータにおいて、前記ＡＣ信号または前記ＴＭＣＣ信号が配置された箇所に応じた箇所にはヌルキャリアが配置されるように、前記他方の偏波アンテナ送信用のデータを生成させる
ことを特徴とする放送用送信プログラム。
【０３０４】
この出願は、２０１８年１２月２６日に出願された日本出願特願２０１８−２４２８８９を基礎とする優先権を主張し、その開示の全てをここに取り込む。
【符号の説明】
【０３０５】
２０、２５１    放送用送信システム
２１    データ構成部
２２  送信処理部
３０、４０  放送用受信システム
３１、４１  受信部
３２  判定部
３３  判断部
３４、４３  再生処理部
４２  等化部
１００、１０１    放送システム
２００、２０１    送信部
２１０    符号化部
２１１    第１のエンコーダ
２１２    第２のエンコーダ
２１３    第３のエンコーダ
２２０    多重化部
２３０、２３１    変調部
２４０    第１の増幅部
２５０    第２の増幅部
３００、４００、４０１    受信部
４１０    第１の受信処理部
４２０    第２の受信処理部
４３０、４３１    復調部
４４０    復号部
５０１、５０２、６０１、６０２    アンテナ
７００    分配器
２６１−ａ、２６２−ｂ    外符号処理部
２６１−ｂ    フレーム構成部
２６２−ａ    階層分割部
２６３−ａ、２６３−ｂ、２６３−ｃ    第１バイト−ビット変換部
２６４−ａ、２６４−ｂ、２６４−ｃ    エネルギー拡散部
２６５−ａ、２６５−ｂ、２６５−ｃ    遅延補正部
２６６−ａ、２６６−ｂ、２６６−ｃ    ビット−バイト変換部
２６７−ａ、２６７−ｂ、２６７−ｃ    バイトインターリーブ処理部
２６８−ａ、２６８−ｂ、２６８−ｃ    第２バイト−ビット変換部
２６９−ａ、２６９−ｂ、２６９−ｃ    畳込み符号化処理部
２７０−ａ、２７０−ｂ、２７０−ｃ    ビットインターリーブ処理部
２７１−ａ、２７１−ｂ、２７１−ｃ    マッピング処理部
２７２    階層合成部
２７３    時間インターリーブ処理部
２７４    周波数インターリーブ処理部
２７５、２８０    ＯＦＤＭフレーム構成部
２７６−ａ、２７６−ｂ    正規化部
２７７−ａ、２７７−ｂ    ＩＦＦＴ処理部
２７８−ａ、２７８−ｂ    ガードインターバル付加処理部
２７９−ａ、２７９−ｂ    直交変調処理部
５１１−ａ、５１１−ｂ    Ａ−Ｄ変換部
５１２−ａ、５１２−ｂ    直交復調処理部
５１３−ａ、５１３−ｂ    同期再生部
５１４−ａ、５１４−ｂ    ＦＦＴ処理部
５１５−ａ、５１５−ｂ    フレーム抽出部
５１６−ａ、５１６−ｂ    ＴＭＣＣ信号復号部
５１７−ａ、５１７−ｂ    ＡＣ信号復号部
５１８、５３２    キャリア復調部
５１９    周波数デインターリーブ処理部
５２０    時間デインターリーブ処理部
５２１    第１の階層分割部
５２２−ａ、５２２−ｂ、５２２−ｃ    デマッピング処理部
５２３−ａ、５２３−ｂ、５２３−ｃ    ビットデインターリーブ処理部
５２４−ａ、５２４−ｂ、５２４−ｃ    デパンクチャ処理部
５２５    階層合成部
５２６    内符号復号部
５２７    第２の階層分割部
５２８−ａ、５２８−ｂ、５２８−ｃ    バイトデインターリーブ処理部
５２９−ａ、５２９−ｂ、５２９−ｃ    エネルギー逆拡散処理部
５３０    ＴＳ再生処理部
５３１    外符号復号部
【図１】
2020137744.tif 000003
【図２】
2020137744.tif 000004
【図３】
2020137744.tif 000005
【図４】
2020137744.tif 000006
【図５】
2020137744.tif 000007
【図６】
2020137744.tif 000008
【図７】
2020137744.tif 000009
【図８】
2020137744.tif 000010
【図９】
2020137744.tif 000011
【図１０】
2020137744.tif 000012
【図１１】
2020137744.tif 000013
【図１２】
2020137744.tif 000014
【図１３】
2020137744.tif 000015
【図１４】
2020137744.tif 000016
【図１５】
2020137744.tif 000017
【図１６】
2020137744.tif 000018
【図１７】
2020137744.tif 000019
【図１８】
2020137744.tif 000020
【図１９】
2020137744.tif 000021
【図２０】
2020137744.tif 000022
【図２１】
2020137744.tif 000023
【図２２】
2020137744.tif 000024
【図２３】
2020137744.tif 000025
【図２４】
2020137744.tif 000026
【図２５】
2020137744.tif 000027
【図２６】
2020137744.tif 000028
【図２７】
2020137744.tif 000029
【図２８】
2020137744.tif 000030
【図２９】
2020137744.tif 000031
【図３０】
2020137744.tif 000032
【図３１】
2020137744.tif 000033
【図３２】
2020137744.tif 000034
【手続補正書】
【提出日】令和3年3月24日(2021.3.24)
【手続補正１】
【補正対象書類名】特許請求の範囲
【補正対象項目名】全文
【補正方法】変更
【補正の内容】
【特許請求の範囲】
【請求項１】
第１の画質再生用のデータと第２の画質再生用のデータとに基づいて、一方の偏波アンテナ送信用のデータと他方の偏波アンテナ送信用のデータとを生成するデータ構成手段と、
前記一方の偏波アンテナ送信用のデータに応じた信号と、前記他方の偏波アンテナ送信用のデータに応じた信号とを送信するための処理を行う送信処理手段と
を備え、
前記データ構成手段は、前記一方の偏波アンテナ送信用のデータのうちの前記第１の画質再生用のデータにおいて、ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号が配置されるように、前記一方の偏波アンテナ送信用のデータを生成し、
前記データ構成手段は、前記他方の偏波アンテナ送信用のデータにおいて、前記ＡＣ信号または前記ＴＭＣＣ信号が配置された箇所に応じた箇所にはヌルキャリアが配置されるように、前記他方の偏波アンテナ送信用のデータを生成する
ことを特徴とする放送用送信システム。
【請求項２】
前記データ構成手段は、前記一方の偏波アンテナ送信用のデータのうちの前記第１の画質再生用のデータにおいて、所定の間隔でパイロット信号またはヌルキャリアが配置されるように、前記一方の偏波アンテナ送信用のデータを生成する
ことを特徴とする請求項１に記載の放送用送信システム。
【請求項３】
前記データ構成手段は、前記一方の偏波アンテナ送信用のデータのうちの前記第１の画質再生用のデータにおいて、パイロット信号が配置されるべき所定の位置と、前記ＡＣ信号または前記ＴＭＣＣ信号が配置されるべき所定の位置とが重複する場合に、前記位置には、前記ＡＣ信号または前記ＴＭＣＣ信号を配置する
ことを特徴とする請求項２に記載の放送用送信システム。
【請求項４】
前記データ構成手段は、前記所定の間隔でヌルキャリアまたはパイロット信号が配置されるように、前記他方の偏波アンテナ送信用のデータを生成し、
前記データ構成手段は、前記一方の偏波アンテナ送信用のデータにおいて、前記他方の偏波アンテナ送信用のデータでパイロット信号が前記所定の間隔で配置された箇所に応じた箇所には、ヌルキャリアを配置し、前記他方の偏波アンテナ送信用のデータでヌルキャリアが前記所定の間隔で配置された箇所に応じた箇所には、パイロット信号を配置するように、前記一方の偏波アンテナ送信用のデータを生成する
ことを特徴とする請求項２または３に記載の放送用送信システム。
【請求項５】
前記データ構成手段は、前記一方の偏波アンテナ送信用のデータのうちの前記第１の画質再生用のデータにおける最も低い周波数のキャリアで送信されるデータにおいて、前記所定の間隔に基づくヌルキャリアに代えてパイロット信号が配置されるように、前記一方の偏波アンテナ送信用のデータを生成する
ことを特徴とする請求項２〜４のいずれか１項に記載の放送用送信システム。
【請求項６】
ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号が配置されている第１の画質再生用のデータと、第２の画質再生用のデータとに応じた信号を受信する受信手段と、
前記ＡＣ信号または前記ＴＭＣＣ信号を用いて、受信品質を判定する判定手段と、
前記受信品質に基づいて、前記第２の画質再生用のデータに応じた映像を再生可能なテレビジョン受像機に、前記第２の画質再生用のデータに応じた映像を再生させるか否かを判断する判断手段と、
前記判断手段が前記第２の画質再生用のデータに応じた映像を再生させると判断した場合に、前記テレビジョン受像機に、前記第２の画質再生用のデータに応じた映像を再生させる再生処理手段とを備えた
ことを特徴とする放送用受信システム。
【請求項７】
ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号と、パイロット信号とがそれぞれ複数配置されている第１の画質再生用のデータに応じた信号を受信する受信手段と、
所定の位置に配置されている前記パイロット信号に基づいて、前記第１の画質再生用のデータに応じた信号に等化処理を施す等化手段と、
等化処理された前記第１の画質再生用のデータに応じた信号に基づいて、前記第１の画質再生用のデータに応じた映像を再生可能なテレビジョン受像機に、前記第１の画質再生用のデータに応じた映像を再生させる再生処理手段とを備え、
前記等化手段は、前記所定の位置にパイロット信号が配置されていない場合に、他の位置に配置されているパイロット信号に基づいて、等化処理を施す
ことを特徴とする放送用受信システム。
【請求項８】
請求項１〜５のいずれか１項に記載の放送用送信システムと、
請求項６または７に記載の放送用受信システムとを備えた
ことを特徴とする放送用送受信システム。
【請求項９】
第１の画質再生用のデータと第２の画質再生用のデータとに基づいて、一方の偏波アンテナ送信用のデータと他方の偏波アンテナ送信用のデータとを生成し、
前記一方の偏波アンテナ送信用のデータに応じた信号と、前記他方の偏波アンテナ送信用のデータに応じた信号とを送信するための処理を行い、
前記一方の偏波アンテナ送信用のデータを生成するときに、前記一方の偏波アンテナ送信用のデータのうちの前記第１の画質再生用のデータにおいて、ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号が配置されるように、前記一方の偏波アンテナ送信用のデータを生成し、
前記他方の偏波アンテナ送信用のデータを生成するときに、前記他方の偏波アンテナ送信用のデータにおいて、前記ＡＣ信号または前記ＴＭＣＣ信号が配置された箇所に応じた箇所にはヌルキャリアが配置されるように、前記他方の偏波アンテナ送信用のデータを生成する
ことを特徴とする放送用送信方法。
【請求項１０】
コンピュータに、
第１の画質再生用のデータと第２の画質再生用のデータとに基づいて、一方の偏波アンテナ送信用のデータと他方の偏波アンテナ送信用のデータとを生成するデータ構成処理と、
前記一方の偏波アンテナ送信用のデータに応じた信号と、前記他方の偏波アンテナ送信用のデータに応じた信号とを送信するための処理を行う送信処理と
を実行させ、
前記データ構成処理では、前記一方の偏波アンテナ送信用のデータのうちの前記第１の画質再生用のデータにおいて、ＡＣ（Ａｕｘｉｌｉａｒｙ  Ｃｈａｎｎｅｌ）信号またはＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号が配置されるように、前記一方の偏波アンテナ送信用のデータを生成させ、
前記データ構成処理では、前記他方の偏波アンテナ送信用のデータにおいて、前記ＡＣ信号または前記ＴＭＣＣ信号が配置された箇所に応じた箇所にはヌルキャリアが配置されるように、前記他方の偏波アンテナ送信用のデータを生成させる
ことを特徴とする放送用送信プログラム。
【国際調査報告】
2020137744.tif 000035
2020137744.tif 000036
2020137744.tif 000037
2020137744.tif 000038